(57)【要約】      （修正有）【課題】分体式天井灯及び分体式天井灯の取付方法を提供する。【解決手段】分体式天井灯は、天井灯ハウジングを引っかかり装置２０に直接固定することにより、天井灯を壁体に対して簡単に着脱することができる。引っかかり装置２０には、一部の天井灯回路が予め設置され、回路は覆われていて安全で、取り付け時には専門技術を要求しない。天井灯ハウジングは、引っかかり装置２０に着脱可能に固定され、天井灯ハウジングを接続させることにより壁体に固定され、同時に回路を連通させ、接線の面倒を回避し、素早く装着または置換できる。天井灯ハウジングは、取り外そうとする時、天井灯ハウジングを直接取り外し、壁体から離間し、置換またはメンテナンスを行える。【選択図】図１
2018110119.tif 000002
【特許請求の範囲】
【請求項１】
ハウジング部品と、
前記ハウジング部品が着脱可能に接続される引っかかり装置と、
灯体回路素子および予め設定した回路素子を含み、前記灯体回路素子は前記ハウジング部品に設置され、前記予め設定した回路素子は前記引っかかり装置に設置され、前記ハウジング部品が前記引っかかり装置に接続される時、前記灯体回路素子は前記予め設定した回路素子を導通させ、前記灯体回路素子の発光部を発光させる発光回路ユニットと、
を含むことを特徴とする分体式天井灯。
【請求項２】
前記予め設定した回路素子はさらに電源、ソケット及び引っかかりプラグを含み、前記灯体回路素子はさらにプラグを含み、前記引っかかりプラグは前記電源と外部電源に接続され、外部電源から前記電源へエネルギーを提供し、前記ソケットは前記電源に接続されてエネルギーを出力し、前記発光部は前記プラグに接続され、前記プラグは離間可能に前記ソケットに接続され、前記プラグが前記ソケットに接続されて回路を形成する時、前記発光部は発光する
ことを特徴とする請求項１に記載の分体式天井灯。
【請求項３】
前記ハウジング部品はさらにハウジングベース、灯カバー及び固定部を含み、前記ハウジングベースは前記灯カバーに着脱可能に接続され、前記固定部は前記ハウジングベースに設置され、前記引っかかり装置はさらにベース、頂蓋及び固定部材を含み、前記固定部材は前記ベースと前記頂蓋との間に設置され、前記ハウジング部品の前記固定部は、前記ハウジング部品を前記引っかかり装置に取り付けるように、前記引っかかり装置の前記固定部材に着脱可能に接続される
ことを特徴とする請求項１に記載の分体式天井灯。
【請求項４】
前記固定部材はさらに少なくとも１つのスライダ、第１の弾性素子及び少なくとも１つのプッシュロッドを含み、前記スライダと前記プッシュロッドはマッチングして接続され、前記第１の弾性素子は前記スライダに接続されて前記スライダのはね返り摺動を補助し、前記スライダの一部が前記引っかかり装置に突出し、前記スライダははね返り摺動により前記引っかかり装置に突出しなく、前記スライダのはね返り摺動により前記引っかかり装置を前記固定部に固定させ、前記ハウジング部品を前記引っかかり装置に固定させる
ことを特徴とする請求項３に記載の分体式天井灯。
【請求項５】
前記スライダは前記引っかかり装置に突出しない時、前記スライダは前記固定部を通り、前記スライダは前記引っかかり装置に突出する時、前記スライダは前記固定部に係止される
ことを特徴とする請求項４に記載の分体式天井灯。
【請求項６】
前記引っかかり装置はさらにはね返り部品を含み、前記はね返り部品は前記固定部材に接続され、前記固定部材を牽引して摺動させる
ことを特徴とする請求項３に記載の分体式天井灯。
【請求項７】
前記はね返り部品はさらに少なくとも１つの第２の弾性素子、推し板及び少なくとも１つのロック材を含み、前記ロック材は記第２の弾性素子と前記推し板に緊密に接続され、前記第２の弾性素子は前記プッシュロッドに対応して押し動き可能に接続され、前記推し板が推される時、前記プッシュロッドは前記スライダにより牽引されるが前記引っかかり装置に突出しなく、前記プッシュロッドは前記スライダにより牽引される時、前記第２の弾性素子は引き伸ばされなく、前記推し板が牽引されない
ことを特徴とする請求項６に記載の分体式天井灯。
【請求項８】
前記引っかかり装置はさらに引っかかり部材を含み、前記引っかかり部材はさらに止めブロック、バネ、及び止めボタンを含み、前記分体式天井灯及びその引っかかり装置にブレ防止の安定性を提供し、前記引っかかり部材、前記固定部材、及び前記はね返り部品は前記ベースと前記頂蓋との間に順に固定される
ことを特徴とする請求項３に記載の分体式天井灯。
【請求項９】
前記引っかかり装置の前記固定部材はさらに止め材を含み、前記止め材は前記固定部材に少なくとも１つの係止溝を形成させ、前記止め材と前記ハウジング部品の前記固定部は着脱可能に接続される
ことを特徴とする請求項３に記載の分体式天井灯。
【請求項１０】
前記固定部はさらに固定筒を含み、前記固定筒はさらに少なくとも１つの固定ブロックを含み、前記固定ブロックは一体になって前記固定筒の内側に延伸し、前記引っかかり装置の前記係止溝と前記固定筒の前記固定ブロックとをマッチングさせて接続させる
ことを特徴とする請求項９に記載の分体式天井灯。
【請求項１１】
前記予め設定した回路素子はさらに電源およびソケットを含み、前記灯体回路素子はさらに前記発光部およびプラグを含み、前記ソケットは前記電源に接続されてエネルギーを出力し、前記プラグは前記ソケットに離間可能に接続されて回路を形成し、前記発光部は前記プラグに接続され、回路を形成するとき、前記電源により発光する
ことを特徴とする請求項９に記載の分体式天井灯。
【請求項１２】
前記灯体回路素子は前記ハウジングベースと前記灯カバーとの間に設置され、前記ハウジング部品を前記引っかかり装置に取り付ける時、前記プラグと前記ソケットを接続させる
ことを特徴とする請求項２または１１に記載の分体式天井灯。
【請求項１３】
前記予め設定した回路素子はさらに電源およびソケットハウジングを含み、前記電源は前記電源ハウジングに設置され、前記ソケットは前記ソケットハウジングに設置される
ことを特徴とする請求項２または１１に記載の分体式天井灯。
【請求項１４】
前記プラグおよび前記灯は前記ハウジング部品に設置され、前記電源、前記電源ハウジング、前記ソケット、前記ソケットハウジング及び前記引っかかりプラグは前記引っかかり装置に設置される
ことを特徴とする請求項１１に記載の分体式天井灯。
【請求項１５】
予め設定した予め設定した回路素子の引っかかり装置を予め設定した位置に固定させ、前記予め設定した回路素子は外部電源と導通するステップ（ａ）と、
予め設定した灯体回路素子のハウジング部品を前記引っかかり装置に取り付ける時、前記灯体回路素子と前記予め設定した回路素子を自動的に導通させ、前記灯体回路素子の発光部を発光させるステップ（ｂ）と、
を含むことを特徴とする分体式天井灯の取付方法。
【請求項１６】
前記ステップ（ｂ）において、前記ハウジング部品を前記引っかかり装置に取り付ける時、前記灯体回路素子の差込材を前記予め設定した回路素子の被差込材に挿入させ、前記灯体回路素子と前記予め設定した回路素子を自動的に導通させる
ことを特徴とする請求項１６に記載の取付方法。
【発明の詳細な説明】
【技術分野】
【０００１】
本発明は、天井灯及び分体式天井灯の取付方法に関し、特に、引っかかり装置により取り付けられる分体式天井灯に関し、取付プロセスを簡単にさせ、取付難度が低く、さらに安全に使用される天井灯に関する。本発明はさらに、分体式天井灯の取付方法に関する。
【背景技術】
【０００２】
天井灯は室内照明において最もよく見られる灯具である。天井灯は空間を占めなく、自然照明に似ている等の特徴により、生活において必要なものとなる。なお、天井灯は家庭においての光源の主な来源であり、応接間、ベッドルーム、キッチン、さらにポーチでは必要なものとなる。異なる種類の天井灯は異なる雰囲気を作ることができる。また、内装の時、天井灯の位置を決定し、室内ケーブルの方向を決めて天井灯を取り付ける。特に、ＬＥＤ技術が成熟した現在において、ＬＥＤはすでに普及される。省エネと環境保全は灯具の発展のトレンドである。しかしながら、ＬＥＤに直流で給電する必要が有るため、このような天井灯を取り付ける時、独立な電池または交流を直流に変換する装置が必要となる。
【０００３】
現在、伝統的な天井灯は取り付けられる時に、専門なスタッフ、または当業者により操作される。伝統的な天井灯において、灯体は一体式となり、メーカは、接電するケーブルを灯体外に預かって、接線を待つ。同時に、灯体は壁体または天井に固定される必要があり、ケーブルで固定してはならない。電池を用いる天井灯であれば、取付時、電池の空間を用意しなければならない。これによって、灯体または壁体に対する要求が高い。直接接線する天井灯であると、取り付ける時、電源を遮断する必要があり、接線が完成した後、使用できる。さらに面倒なのは、問題がある時、天井灯を取り外そうとする時、接線の天井灯の操作はさらに煩雑である。また、ケーブルを灯体に預かると、不便となる。運送または取付時、ケーブルは破損されまたはカットされ、天井灯をメーカに送ってメンテナンスしなければならない。また、故障の原因だけでなく、好み等の原因で天井灯を取り外そうとする場合も多い。すると、伝統的な天井灯はこれらの面では欠陥が存在し、ユーザは直接操作してはならなく、不便をもたらす。ＬＥＤの天井灯の普及にも障害となる。
【０００４】
本発明は伝統的な天井灯の欠陥を解決する分体式天井灯を提出した。
【発明の概要】
【０００５】
本発明の目的は分体式天井灯及び分体式天井灯の取付方法を提供することにある。前記分体式天井灯はハウジング部品および引っかかり装置を提供し、前記引っかかり装置は予め設定した位置に設置され、前記ハウジング部品は前記引っかかり装置に取り付けられることにより前記予め設定した位置に簡単に、かつ素早く設置される。
【０００６】
本発明の他の目的は分体式天井灯及び分体式天井灯の取付方法を提供することにある。回路素子を予め設定し、前記引っかかり装置には予め設定した回路素子を予め設定し、前記予め設定した回路素子の全体は覆われ、前記ハウジング部品が前記引っかかり装置に取り付けられる過程および前記ハウジング部品が前記引っかかり装置に取り付けられた後、前記予め設定した回路素子はいずれも覆われ、前記ハウジング部品を取り付けるまたは置換する時、専門な技術者が必要なく、メンテナンスを簡単にさせ、メンテナンスコストを低減させる。
【０００７】
本発明の他の目的は分体式天井灯及び分体式天井灯の取付方法を提供することにある。前記ハウジング部品が前記引っかかり装置に取り付けられない時、前記予め設定した回路素子の全体も覆われ、これによって、前記分体式天井灯の安全を保証する。
【０００８】
本発明の他の目的は分体式天井灯及び分体式天井灯の取付方法を提供することにある。前記ハウジング部品は前記引っかかり装置に着脱可能に固定される。前記ハウジング部品に灯体回路素子が設置される。前記ハウジング部品を前記引っかかり装置に取り付けた後、前記発光部回路素子と前記予め設定した回路素子は自動的に導通される。
本発明の他の目的は分体式天井灯及び分体式天井灯の取付方法を提供するこｔにある。前記ハウジング部品を前記引っかかり装置に取り付けた後、前記発光部回路素子と前記予め設定した回路素子は自動的に導通し、前記ハウジング部品が前記引っかかり装置から取り外す時、前記発光部回路素子と前記予め設定した回路素子は自動的に遮断し、これによって、前記分体式天井灯の取付と取り外しの過程において通電して操作できる。
【０００９】
本発明の他の目的は分体式天井灯及び分体式天井灯の取付方法を提供することにある。前記ハウジング部品は前記引っかかり装置に着脱可能に固定される同時に、前記予め設定した回路素子と前記発光部回路素子を導通させ、これによって、後の前記分体式天井灯の発光回路ユニットと電源を接続させる面倒を回避し、前記ハウジング部品を素早く取付るまたは置換する。
【００１０】
本発明の他の目的は分体式天井灯及び分体式天井灯の取付方法を提供することにある。前記ハウジング部品は前記引っかかり装置に着脱可能に固定され、前記ハウジング部品を取り外そうとする時、前記ハウジング部品を直接取り外し、前記ハウジング部品を予め設定した位置から離間させ、置換またはメンテナンスを行う。
本発明の他の目的は分体式天井灯及び分体式天井灯の取付方法を提供することにある。引っかかり装置はロック部品により前記予め設定した位置に緊密に接続され、この天井灯を安定に取り付けられる。
【００１１】
本発明の他の目的は分体式天井灯及び分体式天井灯の取付方法を提供することにある。前記引っかかり装置に接続されることにより、前記分体式天井灯は、前記予め設定した位置に緊密に固定されるとともに、前記発光回路ユニットの全体も接続され、簡単な取付を完成させる。
【００１２】
本発明の他の目的は分体式天井灯及び分体式天井灯の取付方法を提供することにある。前記分体式天井灯はさらに拡張部品を含み、前記拡張部品により異なる拡張機能を実現できる。
【００１３】
本発明の一方によれば、本発明により提供される分体式天井灯は、
ハウジング部品と、
前記ハウジング部品が着脱可能に接続される引っかかり装置と、
灯体回路素子および予め設定した回路素子を含み、前記灯体回路素子は前記ハウジング部品に設置され、前記予め設定した回路素子は前記引っかかり装置に設置され、前記ハウジング部品が前記引っかかり装置に接続される時、前記灯体回路素子は前記予め設定した回路素子を導通させ、前記灯体回路素子の発光部を発光させる発光回路ユニットと、を含む。
【００１４】
本発明の実施例によれば、前記予め設定した回路素子はさらに電源、ソケット及び引っかかりプラグを含み、前記灯体回路素子はさらにプラグを含み、前記引っかかりプラグは前記電源と外部電源に接続され、外部電源から前記電源へエネルギーを提供し、前記ソケットは前記電源に接続されてエネルギーを出力し、前記発光部は前記プラグに接続され、前記プラグは離間可能に前記ソケットに接続され、前記プラグが前記ソケットに接続されて回路を形成する時、前記発光部は発光する。
【００１５】
本発明の実施例によれば、前記ハウジング部品はさらにハウジングベース、灯カバー及び固定部を含み、前記ハウジングベースは前記灯カバーに着脱可能に接続され、前記固定部は前記ハウジングベースに設置され、前記引っかかり装置はさらにベース、頂蓋及び固定部材を含み、前記固定部材は前記ベースと前記頂蓋との間に設置され、前記ハウジング部品の前記固定部は、前記ハウジング部品を前記引っかかり装置に取り付けるように、前記引っかかり装置の前記固定部材に着脱可能に接続される。
【００１６】
本発明の実施例によれば、前記引っかかり装置の前記固定部材はさらに止め材を含み、前記止め材は前記固定部材に少なくとも１つの係止溝を形成させ、前記止め材と前記ハウジング部品の前記固定部は着脱可能に接続される。
【００１７】
本発明の実施例によれば、前記固定部はさらに固定筒を含み、前記固定筒はさらに少なくとも１つの固定ブロックを含み、前記固定ブロックは一体になって前記固定筒の内側に延伸し、前記引っかかり装置の前記係止溝と前記固定筒の前記固定ブロックとをマッチングさせて接続させる。
【００１８】
本発明の実施例によれば、前記予め設定した回路素子はさらに電源およびソケットを含み、前記灯体回路素子はさらに前記発光部およびプラグを含み、前記ソケットは前記電源に接続されてエネルギーを出力し、前記プラグは前記ソケットに離間可能に接続されて回路を形成し、前記発光部は前記プラグに接続され、回路を形成するとき、前記電源により発光す。
【００１９】
本発明の実施例によれば、前記灯体回路素子は前記ハウジングベースと前記灯カバーとの間に設置され、前記ハウジング部品を前記引っかかり装置に取り付ける時、前記プラグと前記ソケットを接続させる。
【００２０】
本発明の実施例によれば、前記予め設定した回路素子はさらに電源およびソケットハウジングを含み、前記電源は前記電源ハウジングに設置され、前記ソケットは前記ソケットハウジングに設置される
本発明の実施例によれば、前記プラグおよび前記灯は前記ハウジング部品に設置され、前記電源、前記電源ハウジング、前記ソケット、前記ソケットハウジング及び前記引っかかりプラグは前記引っかかり装置に設置される。
【００２１】
本発明の実施例によれば、前記電源ハウジングと前記固定部材は一体成型する。
【００２２】
本発明の実施例によれば、前記固定部材と前記ソケットハウジングは一体成型する。
【００２３】
本発明の実施例によれば、前記固定部材と前記ソケットハウジングは逆Ｆ形に一体成型する。
【００２４】
本発明の実施例によれば、前記固定部材はさらに少なくとも１つのスライダ、第１の弾性素子及び少なくとも１つのプッシュロッドを含み、前記スライダと前記プッシュロッドはマッチングして接続され、前記第１の弾性素子は前記スライダに接続されて前記スライダのはね返り摺動を補助し、前記スライダの一部が前記引っかかり装置に突出し、前記スライダははね返り摺動により前記引っかかり装置に突出しなく、前記スライダのはね返り摺動により前記引っかかり装置を前記固定部に固定させ、前記ハウジング部品を前記引っかかり装置に固定させる。
【００２５】
本発明の実施例によれば、前記スライダは前記引っかかり装置に突出しない時、前記スライダは前記固定部を通り、前記スライダは前記引っかかり装置に突出する時、前記スライダは前記固定部に係止される。
【００２６】
本発明の他の実施例によれば、本発明により提供される引っかかり装置は、
ベース、頂蓋、固定部材およびはね返り部品を含み、前記固定部材および前記はね返り部品は前記ベースと前記頂蓋との間に順に設置され、ハウジング部品は前記固定部材に着脱可能に接続されるように前記引っかかり装置に着脱可能に取り付けられ、これによって、前記ハウジング部品と前記引っかかり装置は分体式天井灯を構成する。
【００２７】
本発明の他の実施例によれば、本発明により提供される分体式天井灯の取付方法は、
予め設定した予め設定した回路素子の引っかかり装置を予め設定した位置に固定させ、前記予め設定した回路素子は外部電源と導通するステップ（ａ）と、
予め設定した灯体回路素子のハウジング部品を前記引っかかり装置に取り付ける時、前記灯体回路素子と前記予め設定した回路素子を自動的に導通させ、前記灯体回路素子の発光部を発光させるステップ（ｂ）と、を含む。
【００２８】
本発明の実施例によれば、前記ステップ（ｂ）において、前記ハウジング部品を前記引っかかり装置に取り付ける時、前記灯体回路素子の差込材を前記予め設定した回路素子の被差込材に挿入させ、前記灯体回路素子と前記予め設定した回路素子を自動的に導通させる。
【図面の簡単な説明】
【００２９】
【図１】本発明の実施例１に係る分体式天井灯の構成を示す分解図である。
【図２】本発明の実施例１に係る分体式天井灯の分体式取付を示す図である。
【図３】本発明の実施例１に係る分体式天井灯の前記引っかかり装置の構成を示す分解図である。
【図４】本発明の実施例１に係る分体式天井灯のハウジング部品の構成を示す分解図である。
【図５Ａ】本発明の実施例２に係る分体式天井灯の分体式取付を示す図である。
【図５Ｂ】本発明の実施例２に係る分体式天井灯の分体式取付と回路接続を示す図である。
【図６】本発明の実施例２に係る分体式天井灯のハウジング部品の構成を示す分解図である。
【図７】本発明の実施例２に係る分体式天井灯の前記引っかかり装置の構成を示す分解図である。
【図８Ａ】本発明の実施例３に係る分体式天井灯の分体式取付を示す図である。
【図８Ｂ】本発明の実施例３に係る分体式天井灯の分体式取付を示す図である。
【図９】本発明の実施例４に係る分体式天井灯の分体式取付を示す図である。
【図１０】本発明の実施例５に係る分体式天井灯の側面図である。
【図１１】本発明の実施例６に係る分体式天井灯の側面図である。
【図１２】本発明の実施例７に係る分体式天井灯の前記引っかかり装置の側面図である。
【図１３】本発明の実施例８に係る分体式天井灯の取付を示す図である。
【図１４】本発明の実施例８に係る分体式天井灯の分解図である。
【図１５】本発明の実施例８に係る分体式天井灯の側面断面図である。
【図１６】本発明の実施例８に係る分体式天井灯の前記引っかかり装置の分解図である。
【図１７】本発明の実施例８に係る分体式天井灯の前記ハウジング部品の分解図である。
【図１８】本発明の実施例８に係る分体式天井灯の前記引っかかり装置の分解図である。
【図１９】本発明の実施例８に係る分体式天井灯の前記固定部材を示す図である。
【図２０】本発明の実施例８に係る分体式天井灯の前記固定部材の底面図である。
【図２１】本発明の実施例８に係る分体式天井灯の前記引っかかり装置の前記固定部材の平面図である。
【図２２】本発明の実施例８に係る分体式天井灯の前記ハウジングベースを示す図である。
【図２３】本発明の実施例８に係る分体式天井灯の前記ハウジングベースを示す図である。
【図２４】本発明の実施例８に係る分体式天井灯の前記固定筒を示す図である。
【図２５】本発明の実施例８に係る分体式天井灯及の前記固定筒を示す図である。
【図２６】本発明の実施例８に係る分体式天井灯の前記固定筒と前記固定部材を示す図である。
【図２７】本発明の実施例８に係る分体式天井灯の前記固定筒と前記固定部材の未完全取付を示す図である。
【図２８】本発明の実施例８に係る分体式天井灯の前記固定筒と前記固定部材の完全取付を示す図である。
【図２９】本発明の実施例８に係る分体式天井灯の前記ロックキャップを示す図である。
【図３０】本発明の実施例８に係る分体式天井灯の前記ロックキャップの取付を示す図である。
【図３１】本発明の実施例８に係る分体式天井灯の前記拡張部品を示す図である。
【図３２】本発明の実施例８に係る分体式天井灯の取付を示す図である。
【図３３】本発明の実施例９に係る分体式天井灯の分体を示す図である。
【図３４】本発明の実施例９に係る分体式天井灯の前記固定部材を示す図である。
【図３５】本発明の実施例９に係る分体式天井灯の前記固定筒を示す図である。
【図３６】本発明の実施例９に係る分体式天井灯の取付を示す意図である。
【図３７】本発明の実施例１０に係る分体式天井灯の分解図である。
【図３８】本発明の実施例１０に係る分体式天井灯の側面図である。
【図３９】本発明の実施例１０に係る分体式天井灯の底面図である。
【図４０】本発明の実施例１０に係る分体式天井灯の断面図である。
【図４１】本発明の実施例１０に係る分体式天井灯を示す図である。
【図４２】本発明の実施例１０に係る分体式天井灯の取付を示す図である。
【図４３】本発明の実施例１０に係る分体式天井灯の取付を示す図である。
【発明を実施するための形態】
【００３０】
以下に記載される本発明により、当業者は本発明を実現することができる。以下に記載される好ましい実施例は例として挙げられ、当業者はその他の明らかな変形を容易に想到できる。以下に記載される本発明の基本原理はその他の実施案、変形案、改進案、同価案及び本発明の精神と範囲から脱逸しないその他の技術案に応用できる。
【００３１】
当業者は、本発明の記載において、用語「縦方向」、「横方向」、「上」、「下」、「前」、「後」、「左」、「右」、「直交」、「水平」、「頂」、「底」、「内」、「外」等の方位または位置関係を示すものは、図面に示す方位または位置関係に基づくものであり、本発明の記載を簡単にさせるものであるが、装置または素子が必ず特定の方位であり、または特定の方位で構成されて操作されることを示すことではなく、このため、上述した用語は本発明の限制としてならないと理解されたい。
【００３２】
用語「一」は、「少なくとも１つの」または「１つまたは複数の」と理解されたい。即ち、実施例において、素子の数は１つであってもよく、他の実施例において、この素子の数は複数であってもよい。用語「一」は数の限定と理解してはならない。
【００３３】
図２は実施例１における分体式天井灯の取付を示す図である。前記分体式天井灯及びその引っかかり装置は、ハウジング部品１０、引っかかり装置２０及び天井灯３０を含む。前記ハウジング部品１０は着脱可能に前記引っかかり装置２０に接続される。前記発光回路ユニット３０は分けられて前記ハウジング部品１０内と前記引っかかり装置２０内に内蔵される。前記ハウジング部品１０と前記引っかかり装置２０は対応して接続され、前記発光回路ユニット３０の全体を形成し、前記ハウジング部品１０を前記引っかかり装置２０に安定に固定させる。
【００３４】
前記ハウジング部品１０は前記引っかかり装置２０に取り付けられた後、前記ハウジング部品１０における前記発光回路ユニット３０と前記引っかかり装置２０における前記発光回路ユニット３０は接続されて回路全体を形成する。言い換えれば、同一種類の前記引っかかり装置２０に対して、対応する前記ハウジング部品１０は接続されることができる。
【００３５】
好ましくは、前記引っかかり装置２０は予め設定した位置に予め固定され、前記ハウジング部品１０が前記引っかかり装置２０に取り付けられた後、前記ハウジング部品を前記予め設定した位置に保持させる。ここでの前記予め設定した位置は、壁体または天井においての、通常、天井灯を取り付けるために予め設定した位置であることが好ましい。つまり、すでに前記予め設定した位置に固定された前記引っかかり装置２０に対して、異なる要求に応じて前記ハウジング部品１０を置換して使用することができる。例えば、前記ハウジング部品１０に対してメンテナンスを行うとき、前記ハウジング部品１０は取り外し、予備の前記ハウジング部品１０を置換して前記引っかかり装置２０に取り付け、引き続き使用する。
【００３６】
図１は実施例１における前記分体式天井灯の構成の分解図である。前記発光回路ユニット３０はさらに灯体回路素子３０１および予め設定した回路素子３０２を含む。前記予め設定した回路素子３０２はさらに電源３１、電源ハウジング３２、ソケット３３、ソケットハウジング３６及び引っかかりプラグ３７を含む。前記電源ハウジング３２は前記電源３１を保護する。前記ソケット３３は、エネルギーを出力するために、前記電源３１に接続される。前記ソケットハウジング３６は前記ソケット３３を保護する。前記引っかかりプラグ３７は前記電源３１に接続されて前記電源３１にエネルギーを提供する。前記発光部回路素子３０１はさらに発光部３５およびプラグ３４を含む。前記発光部３５は前記プラグ３４に接続され、回路を形成するとき、前記電源３１により発光する。前記プラグ３４は前記ソケット３３に離間可能に接続され、回路全体を形成する。前記発光部３５は給電されて光線を発生させる任意の機構またはモジュールであってもよく、例えば、前記発光部３５はＬＥＤ発光素子またはＬＥＤ発光素子組に実施されてもよいが、これらに限られない。
【００３７】
前記予め設定した回路素子３０２の前記ソケット３３は被差込材に形成し、前記発光部回路素子３０１の前記プラグ３４は差込材に形成する。前記差込材は前記被差込材に挿入することにより、前記発光部回路素子３０１と前記予め設定した回路素子３０２を互いに導通させる。前記差込材はその他の形態、例えば、差込突起に実施されてもよく、対応して、前記被差込材はその他の形態、例えば、差込凹槽に実施されてもい。従って、当業者は、ソケット３３に実施される前記被差込材および前記プラグ３４に実施される前記差込材は本発明の前記予め設定した回路素子３０２および前記発光部回路素子３０１の内容と範囲を限定しないことを了解されたい。
【００３８】
前記プラグ３４と前記発光部３５は前記ハウジング部品１０に設置され、前記電源３１、前記電源ハウジング３２、前記ソケット３３、前記ソケットハウジング３６、および前記引っかかりプラグ３７は前記引っかかり装置２０に設置される。言い換えれば、前記発光部回路素子３０１は前記ハウジング部品１０に設置され、前記予め設定した回路素子３０２は前記引っかかり装置２０に設置される。前記ハウジング部品１０と前記引っかかり装置２０の未接続の場合、図２に示すように、前記プラグ３４と前記ソケット３３は離間する。前記ハウジング部品１０と前記引っかかり装置２０の接続の場合、前記プラグ３４と前記ソケット３３も接続され、回路を形成する。
【００３９】
前記引っかかり装置２０はさらに、ベース２１、頂蓋２２、固定部材２３及び引っかかり部材２４を含む。前記引っかかり部材２４と前記固定部材２３は順に前記ベース２１と前記頂蓋２２との間に固定される。前記固定部材２３は前記ハウジング部品１０に着脱可能に接続される。好ましくは、前記固定部材２３は、一部が前記電源ハウジング３２内に設置され、前記電源ハウジング３２の内部において摺動することができる。前記引っかかり部材２４は取付標準部材である。前記引っかかり部材２４はさらに止めブロック２４２、バネ２４３、止めボタン２４４を含み、前記分体式天井灯にブレ防止の安定性を提供する。前記引っかかり装置２０はさらに、はね返り部品２５を含む。前記はね返り部品２５は前記固定部材２３に接続され、前記固定部材２３の位置を変更させる。
【００４０】
図３に示すように、前記固定部材２３は少なくとも１つのスライダ２３１、第１の弾性素子２３２および少なくとも１つのプッシュロッド２３３を含む。前記スライダ２３１の端部が前記プッシュロッド２３３の端部に接続される。前記第１の弾性素子２３２は前記スライダ２３１に接続され、前記スライダ２３１の往復摺動を補助する。前記プッシュロッド２３３は軸方向に沿って前記電源ハウジング３２に設置され、前記電源ハウジング３２の内側において対向して摺動することができる。それぞれの前記スライダ２３１は対応する前記プッシュロッド２３３の尾部に直交して接続され、前記プッシュロッド２３３が軸方向に沿って摺動する時、前記スライダ２３１は牽引されて径方向に沿って摺動する。好ましくは、実施例１において、２つの前記スライダ２３１および対応する２つのプッシュロッド２３３を用いる。前記プッシュロッド２３３は互いに平行して前記電源ハウジング３２の径方向においての外部に設置される。前記スライダ２３１は、互いに背向して設置され、前記電源ハウジング３２の径方向に一致する。なお、前記スライダ２３１の間の距離が最小である場合、前記スライダ２３１は前記固定板１１１を通る。前記スライダ２３１の間の距離が最大である場合、前記スライダ２３１は一部が前記電源ハウジング３２外に設置され、前記固定板１１１により係止される。例えば、前記プッシュロッド２３３が前記ベース方向へ押されるとき、前記スライダ２３１は前記プッシュロッド２３３により牽引されて互いに前記電源ハウジング３２の径方向に沿って近づく。すなわち、前記スライダ２３１の間の距離は小さくなり、前記第１の弾性素子２３２は圧縮されて力を蓄える。前記プッシュロッド２３３が力を受けなかった後、前記第１の弾性素子２３２は前記スライダ２３１を元の位置に弾き戻し、前記プッシュロッド２３３も牽引されて前記電源ハウジング３２に沿って下へ摺動して元の位置に達する。また、前記スライダ２３１が力を受けて互いに近づくとき、前記第１の弾性素子２３２は圧縮されて力を蓄え、前記プッシュロッド２３３は牽引されて前記ベース２１方向へ摺動する。前記スライダ２３１が力を受けなかった後、前記第１の弾性素子２３２は前記スライダ２３１を元の位置に弾き戻し、前記プッシュロッド２３３も牽引されて前記電源ハウジング３２に沿って下へ摺動して元の位置に達する。
【００４１】
図３に示すように、前記はね返り部品２５はさらに少なくとも１つの第２の弾性素子２５１、推し板２５３、及び前記第２の弾性素子２５１と前記推し板２５３を緊密に接続させる少なくとも１つのロック材２５２を含む。前記第２の弾性素子２５１は前記プッシュロッド２３３に対応して押し動き可能に接続され、前記推し板２５３が押されるとき、前記プッシュロッド２３３が押されて前記電源ハウジング３２に沿って摺動する。しかしながら、前記プッシュロッド２３３が前記スライダ２３１により牽引される時、前記第２の弾性素子２５１と前記プッシュロッド２３３が固定されていないため、前記第２の弾性素子２５１が引き伸ばされていない。実施例１において、前記第２の弾性素子２５１は２つあり、それぞれ前記プッシュロッド２３３に接続される。前記ロック材２５２はネジで前記推し板２５３と前記第２の弾性素子２５１の接続を固定させる。また、前記引っかかり装置の前記頂蓋２２は孔を含み、前記推し板２５３を前記頂蓋２２の孔に設置されて推される。前記推し板２５３を前記頂蓋２２から推されて離れる時、前記第２の弾性素子２５１は力を蓄える。前記推し板２５３が推されていなかった後、前記第２の弾性素子２５１は前記推し板を前記頂蓋２２内に弾き戻す。つまり、前記推し板２５３が推されるとき、前記第２の弾性素子２５１は圧縮されて力を蓄え、同時に、前記第２の弾性素子２５１に接続される前記プッシュロッド２３３が推される。すると、前記プッシュロッド２３３は前記スライダ２３１を牽引して互いに近づくように摺動する。特に、前記推し板２５３が推されていなかった後、前記第１の弾性素子２３２は前記スライダ２３１を元の位置に弾き戻し、前記プッシュロッド２３３も牽引されて前記電源ハウジング３２に沿って下へ摺動して元の位置に達する。さらに、前記第２の弾性素子２５１は前記推し板を前記頂蓋２２内に弾き戻す。前記推し板２５３が推される最大距離と前記スライダ２３１が互いに近づく最小距離とはマッチングするものである。また、前記スライダ２３１が力を受けて互いに近づく時、前記第１の弾性素子２３２は圧縮されて力を蓄え、前記プッシュロッド２３３は牽引されて前記ベース２１方向へ摺動する。しかしながら、前記第２の弾性素子２５１が引き伸ばさなく、前記推し板２５３が牽引しない。前記スライダ２３１が力を受けなかった後、前記第１の弾性素子２３２は前記スライダ２３１を元の位置に弾き戻し、前記プッシュロッド２３３も牽引されて前記電源ハウジング３２に沿って下へ摺動して元の位置に達し、前記第２の弾性素子２５１により推されることを待つ。
【００４２】
図４は実施例１における前記分体式天井灯の前記ハウジング部品１０の構成の分解図である。前記ハウジング部品１０はさらにハウジングベース１１、灯カバー１２、放熱板１３、及び固定板１１１を含む。前記ハウジングベース１１は前記灯カバー１２に着脱可能に接続される。前記固定板１１１は前記ハウジングベース１１の外側に設置される。前記放熱板１３は前記ハウジングベース１１と前記灯カバー１２の間に設置される。つまり、前記固定板１１１、前記ハウジングベース１１および前記灯カバー１２は順に同軸して固定される。前記ハウジング部品１０を前記引っかかり装置に取り付けて前記プラグ３４と前記ソケット３３を接続させるように、前記発光部３５と前記プラグ３４はハウジングベース１１と前記灯カバー１２との間に設置される。さらに、前記ハウジングベース１１は固定筒１１２を含む。前記固定筒１１２は前記引っかかり装置２０を挿入させることができ、前記引っかかり装置２０を前記ハウジングベース１１の外側に固定させる。前記固定板１１１は、前記ハウジング部品１０を前記引っかかり装置２０の前記固定部材２３に固定させるために、前記固定部材２３に接続して固定する。
【００４３】
実施例１において、前記固定板１１１は前記固定部材２３の前記スライダ２３１により固定される。つまり、前記ハウジング部品１０は前記引っかかり装置２０へ移動し、前記固定筒１１２を前記引っかかり装置２０外をカバーする時、前記固定板１１１は突出した前記スライダ２３１を押圧し、前記スライダ２３１が力を受けて互いに近づく時、前記第１の弾性素子２３２は圧縮されて力を蓄え、前記プッシュロッド２３３が牽引されて前記ベース２１方向へ摺動する。しかしながら、前記第２の弾性素子２５１は引き伸ばさなく、前記推し板２５３は牽引されない。すると、前記スライダ２３１は力を受けなかった後、前記第１の弾性素子２３２は前記スライダ２３１を元の位置に弾き戻し、前記プッシュロッド２３３は牽引されて前記電源ハウジング３２に沿って下へ摺動して元の位置に達し、前記第２の弾性素子２５１により推されることを待つ。前記スライダ２３１は前記ハウジング部品１０の前記固定板１１１に固定され、前記ハウジング部品１０を前記固定部材２３に固定させる。即ち、前記固定板１１１は前記スライダ２３１に係止される。同時に、前記引っかかり装置２０に位置する前記ソケット３３は前記ハウジング部品１０に位置する前記プラグ３４に接続され、回路の全体を形成する。好ましくは、前記引っかかり装置２０は予め設定した位置に予め固定され、このようにして、前記ハウジング部品１０が前記引っかかり装置２０に固定される時、前記ハウジング部品１０を前記引っかかり装置２０に押し入れることにより回路を接続させて天井灯を固定させる。
【００４４】
また、前記ハウジング部品１０を取り外そうとする時、前記推し板２５３を押す。前記推し板２５３が推される時、前記第２の弾性素子２５１は圧縮されて力を蓄え、同時に、前記第２の弾性素子２５１に接続される前記プッシュロッド２３３は推される。すると、前記プッシュロッド２３３は前記スライダ２３１を牽引して互いに近づくように摺動する。前記スライダ２３１は前記ハウジング部品１０の前記固定板１１１から離間し、前記ハウジング部品１０を前記引っかかり装置２０の前記固定部材２３から離間させ、前記ハウジング部品１０を前記引っかかり装置２０から離間させる。特に、前記推し板２５３が推されなかった後、前記第１の弾性素子２３２は前記スライダ２３１を元の位置に弾き戻し、前記プッシュロッド２３３は牽引されて前記電源ハウジング３２に沿って下へ摺動して元の位置に達する。さらに、前記第２の弾性素子２５１は前記推し板２５３を前記頂蓋２２内に弾き戻す。前記推し板２５３が推される最大距離は前記スライダ２３１が互いに近づくの最小距離にマッチングする。このようにして、固定を直接解除しただけでなく、前記ソケット３３と前記プラグ３４は直接離間し、複雑な回路操作を避ける。
【００４５】
実施例１における分体式天井灯や、その引っかかり装置の前記ハウジング部品１０および前記引っかかり装置２０はいずれもケーブルを外に露出しなく、前記発光回路ユニット３０に対してよく保護し、同時に、取付の難度を低くさせる。前記ハウジング部品１０を取り付ける時、前記ハウジングベース１１を前記引っかかり装置２０へ押すと、前記引っかかり装置２０は前記ハウジング部品１０を予め設定した位置に固定させる。前記ハウジング部品１０の取り外しも簡単である。例えば、個人の好みにより、異なるスタイルの前記ハウジング部品１０を置換しようとする時、ユーザ自分は、前記推し板２５３を押すと、前記固定部材２３を前記ハウジング部品１０の前記固定板１１１から離間させる。実施例１において、前記推し板２５３が推される時、前記第２の弾性素子２５１は圧縮されて力を蓄え、同時に、前記第２の弾性素子２５１に接続される前記プッシュロッド２３３も推される。すると、前記プッシュロッド２３３は前記スライダ２３１を牽引して互いに近づくように摺動する。前記スライダ２３１は前記ハウジング部品１０の前記固定板１１１から離間し、前記ハウジング部品１０を前記引っかかり装置２０の前記固定部材２３から離間させ、前記ハウジング部品１０を前記引っかかり装置２０から離間させる。特に、前記推し板２５３が推されなかった後、前記第１の弾性素子２３２は前記スライダ２３１を元の位置に弾き戻し、前記プッシュロッド２３３も牽引されて前記電源ハウジング３２に沿って下へ摺動して元の位置に達する。さらに、前記第２の弾性素子２５１は前記推し板を前記頂蓋２２内に弾き戻す。前記推し板２５３が推される最大距離は前記スライダ２３１が互いに近づく最小距離にマッチングする。このようにして、固定を直接解除しただけでなく、前記ソケット３３と前記プラグ３４は直接離間し、複雑な回路操作を避ける。また、複数の前記ハウジング部品１０はいずれも同一の引っかかり装置２０を用いて、複数の選択を提供する。即ち、前記引っかかり装置２０を取り付けた後、必要に応じて、様々な前記ハウジング部品１０を置換して使用し、壁面を破壊しなく、天井灯のコストを効果的に低減させる。実施例１において、好ましくは、前記発光部３５はＬＥＤであり、前記電源３１はＬＥＤモジュールである。また、実施例１において、前記放熱板１３、前記引っかかり部材２４等が設置されて、異なる灯に対して置換の可能性を提供する。
【００４６】
本発明の他方により、本発明はさらに分体式天井灯の取付方法を提供する。前記取付方法は、
外部電源と導通する予め設定した回路素子３０２を予め設定した引っかかり装置２０を予め設定した位置に固定させるステップ（ａ）と、
灯体回路素子３０１を予め設定したハウジング部品１０を前記引っかかり装置２０に取り付ける時、前記発光部回路素子３０１と前記予め設定した回路素子３０２を自動的に導通させ、前記発光部回路素子３０２の発光部３５を発光させるステップ（ｂ）と、を含む。
【００４７】
好ましくは、前記ハウジング部品１０を前記引っかかり装置２０に取り付ける時、前記発光部回路素子３０１の差込材を前記予め設定した回路素子３０２の被差込材に挿入させることにより、前記発光部回路素子３０１と前記予め設定した回路素子３０２を自動的に導通させる。
【００４８】
本発明の実施例２は図５Ａ〜図７に示す。図５Ａは実施例２における前記分体式天井灯及びその引っかかり装置を示す。上述した実施例に類似し、ハウジング部品１０’、引っかかり装置２０’及び発光回路ユニット３０’が含まれる。前記ハウジング部品１０’、前記引っかかり装置２０’および前記発光回路ユニット３０’の構成は実施例１の前記分体式天井灯及びその引っかかり装置の前記ハウジング部品１０および前記発光回路ユニット３０に類似し、ここでの説明は不要である。
【００４９】
好ましくは、前記引っかかり装置２０’は壁面に予め設置される。前記ハウジング部品１０’は前記引っかかり装置に着脱可能に接続される。具体的には、図５Ａに示すように、前記ハウジング部品１０’は前記固定部材２３’の前に取り付けられ、前記プラグ３４’と前記ソケット３３’は分けられるものである。つまり、前記発光部回路素子３０１’と前記予め設定した回路素子３０２’は回路を形成しない。前記ハウジング部品１０’前記引っかかり装置２０’の前記固定部材２３’に固定された後、前記プラグ３４’は前記ソケット３３’に接続されて、前記発光部回路素子３０１’と前記予め設定した回路素子３０２’を連通させる。実施例２において、好ましくは、前記ハウジング部品１０’は前記引っかかり装置２０’へ直接推し、前記ハウジング部品１０’が前記引っかかり装置２０’の前記固定部材２３’により固定され、前記発光回路ユニット３０’も接続される。
【００５０】
図６は実施例２における前記分体式天井灯及びその引っかかり装置の前記ハウジング部品１０’の構成の分解図である。前記ハウジング部品１０’はさらにハウジングベース１１’、灯カバー１２’、固定板１１１’及び拡張部品１５’を含む。前記固定板１１１’、前記ハウジングベース１１’および前記灯カバー１２’は順に同軸して設置される。好ましくは、前記ハウジングベース１１’の外エッジは前記灯カバー１２’に着脱可能に接続される。前記固定板１１１’は前記ハウジングベース１１’の内エッジに設置されて前記ハウジングベース１１’をカバーする。つまり、前記ハウジングベース１１’は前記固定板１１１’に緊密に嵌合される。また、好ましくは、前記固定板１１１’は放熱性が良好な材料であり、前記ハウジング部品１０’に放熱を提供する。特に、前記拡張部品１５’は前記灯カバー１２’に設置され、前記分体式天井灯及びその引っかかり装置に拡張機能を提供する。例えば、前記拡張部品１５’は前記発光回路ユニット３０’に接続される。前記拡張部品１５’にはマイナスイオン装置が設置される。そうすると、前記拡張部品１５’はマイナスイオン装置になり、前記分体式天井灯及びその引っかかり装置に補助機能を増加する。また、例えば、前記拡張部品１５’は緊急電源を含み、前記発光回路ユニット３０’に接続される。このようにして、前記拡張部品１５’は緊急の場合に、前記発光回路ユニット３０’に緊急電源を提供することができる。また、例えば、前記拡張部品１５’は前記発光回路ユニット３０’に接続される。前記拡張部品１５’にはナイトライト装置が設置される。このようにして、前記拡張部品１５’はナイトライト装置になり、夜に、ナイトライトとして使用される。また、例えば、前記拡張部品１５’は緊急灯および電源を含む。このようにして、緊急の場合に、前記拡張部品１５’は緊急灯として使用することができる。特に、突発の場合に、例えば、火事、地震の場合に、前記拡張部品１５’は緊急灯として使用することができ、警告機能を提供することもできる。
【００５１】
実施例１に類似し、図６および図７に示すように、前記発光回路ユニット３０’はさらに灯体回路素子３０１’と予め設定した回路素子３０２’を含む。前記予め設定した回路素子３０２’はさらに電源３１’、電源ハウジング３２’、ソケット３３’、ソケットハウジング３６’及び引っかかりプラグ３７’を含む。前記電源ハウジング３２’は前記電源３１’を保護する。前記ソケット３３’は、エネルギーを出力するために、前記電源３１’に接続される。前記ソケットハウジング３６’は前記ソケット３３’を保護する。前記引っかかりプラグ３７’は前記電源３１’に接続されて前記電源３１’にエネルギーを提供する。前記発光部回路素子３０１’はさらに発光部３５’およびプラグ３４’を含む。前記発光部３５’は前記プラグ３４’に接続され、回路を形成する時、前記電源３１’により発光する。前記プラグ３４’は前記ソケット３３に離間可能に接続され、回路を形成する。
【００５２】
前記プラグ３４’と前記発光部３５’は前記ハウジング部品１０’に設置され、前記電源３１’、前記電源ハウジング３２’、前記ソケット３３’、前記ソケットハウジング３６’、および前記引っかかりプラグ３７’は前記引っかかり装置２０’に設置される。言い換えれば、前記発光部回路素子３０１’は前記ハウジング部品１０’に設置され、前記予め設定した回路素子３０２’は前記引っかかり装置２０’に設置される。前記ハウジング部品１０’と前記引っかかり装置２０’の未接続の場合、前記プラグ３４’と前記ソケット３３’は離間する。前記ハウジング部品１０’と前記引っかかり装置２０’の接続の場合、前記プラグ３４’と前記ソケット３３’も接続され、回路を形成する。前記発光部３５’と前記プラグ３４’は、前記ハウジング部品１０’が前記引っかかり装置に取り付けられて前記プラグ３４’と前記ソケット３３’とを接続させるように、ハウジングベース１１’と前記灯カバー１２’との間に設置される。
【００５３】
前記ソケット３３’は延長型であり、前記プラグ３４’の位置に配合する。異なる前記ハウジング部品１０’の前記プラグ３４’の位置が異なっていて、回路の接触を良好にするために、前記ソケット３３’は延長するものである。このようにして、前記プラグ３４’は前記固定板１１１’に対して位置が異なっていて、前記ソケット３３’は接続するために、位置を提供する。また、前記プラグ３４’は最適な接続位置を見つけるために、前記ソケット３３’に対して摺動することができる。このようにして、前記引っかかり装置２０’は異なる前記ハウジング部品１０’に適するだけでなく、同一タイプの前記ハウジング部品１０’に対して、前記プラグ３４’の位置に対する要求が高くないため、製造の難度およびコストを低減させる。
【００５４】
また、前記ハウジングベース１１’は固定筒１１２’を含む。前記固定筒１１２’は前記引っかかり装置２０’を挿入させることができ、前記引っかかり装置２０’を前記ハウジングベース１１に固定させる。前記固定板１１１’は、前記ハウジング部品１０’を前記引っかかり装置２０’の前記固定部材２３’に固定させるために、前記固定部材２３’に接続して固定する。
【００５５】
図７に示すように、前記引っかかり装置２０’はさらにベース２１’、頂蓋２２’、固定部材２３’、引っかかり部材２４’、はね返り部品２５’及びロック部品２６’を含む。前記引っかかり部材２４’、前記固定部材２３’、及び前記はね返り部品２５’は順に前記ベース２１と前記頂蓋２２との間に固定される。前記固定部材は前記はね返り部品２５’に接続される。前記ロック部品２６’は前記頂蓋２２’に設置されて前記はね返り部品２５’に接続される。前記固定部材２３’は前記ハウジング部品１０’に着脱可能に接続される。好ましくは、前記固定部材２３’は一部が前記電源ハウジング３２’内に設置され、前記電源ハウジング３２’の内部に沿って摺動することができる。前記はね返り部品２５’は、前記はね返り部品２５’により前記固定部材２３’の摺動位置を変更させるように、前記固定部材２３’に接続される。前記ロック部品２６’は、前記はね返り部品２５’の動作をロックするように、前記はね返り部品２５’に接続される。前記引っかかり部材２４’はさらに止めブロック２４２’、バネ２４３’、止めボタン２４４’を含み、前記分体式天井灯にブレ防止の安定性を提供する。
【００５６】
図７に示すように、前記固定部材２３’は少なくとも１つのスライダ２３１’、第１の弾性素子２３２’および少なくとも１つのプッシュロッド２３３’を含む。前記スライダ２３１’の端部が前記プッシュロッド２３３’の端部に接続される。前記第１の弾性素子２３２’は前記スライダ２３１’に接続され、前記スライダ２３１’の往復摺動を補助する。前記プッシュロッド２３３’は軸方向に沿って前記電源ハウジング３２’に設置され、前記電源ハウジング３２’の内側において対向して摺動することができる。それぞれの前記スライダ２３１’は対応する前記プッシュロッド２３３’の尾部に直交して接続され、前記プッシュロッド２３３’が軸方向に沿って摺動する時、前記スライダ２３１’は牽引されて径方向に沿って摺動する。好ましくは、実施例２において、２つの前記スライダ２３１’および対応する２つのプッシュロッド２３３’を用いる。前記プッシュロッド２３３’は互に平行して前記電源ハウジング３２’の径方向においての外部に設置される。前記スライダ２３１’は、互に背向して設置され、前記電源ハウジング３２’の径方向に一致する。好ましくは、前記スライダ２３１’の間の距離が最小である場合、前記スライダ２３１’は前記固定板１１１’を通る。前記スライダ２３１’の間の距離が最大である場合、前記スライダ２３１’は一部が前記電源ハウジング３２’外に設置され、前記固定板１１１’により係止される。例えば、前記プッシュロッド２３３’が前記ベース方向へ推される時、前記スライダ２３１’は前記プッシュロッド２３３’により牽引されて互いに前記電源ハウジング３２’の径方向に沿って近づく。即ち、前記スライダ２３１’の間の距離は小さくなり、前記第１の弾性素子２３２’は圧縮されて力を蓄える。前記プッシュロッド２３３’が力を受けなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達する。また、前記スライダ２３１’は力を受けて互いに近づく時、前記第１の弾性素子２３２’は圧縮されて力を蓄え、前記プッシュロッド２３３’は牽引されて前記ベース２１’方向へ摺動する。前記スライダ２３１’が力を受けなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達する。
【００５７】
前記はね返り部品２５’はさらに少なくとも１つの第２の弾性素子２５１’、推し板２５３’、及び前記第２の弾性素子２５１’と前記推し板２５３’を緊密に接続させる少なくとも１つのロック材２５２’を含む。前記第２の弾性素子２５１’は前記プッシュロッド２３３’に対応して押し動き可能に接続され、前記推し板２５３’が推される時、前記プッシュロッド２３３’は押されて前記電源ハウジング３２’に沿って摺動する。前記第２の弾性素子２５１’は前記プッシュロッド２３３’に固定される。前記プッシュロッド２３３’が前記スライダ２３１’により牽引される時、前記第２の弾性素子２５１’は引き伸ばされる。実施例２において、前記第２の弾性素子２５１’は２つあり、それぞれ前記プッシュロッド２３３’に接続される。前記ロック材２５２’はネジで前記推し板２５３’と前記第２の弾性素子２５１’の接続を固定させる。また、前記引っかかり装置の前記頂蓋２２’は孔を含み、前記推し板２５３’が前記頂蓋２２’の孔に設置されて推される。前記推し板２５３’を前記頂蓋２２’から推されて離れる時、前記第２の弾性素子２５１’は力を蓄える。前記推し板２５３’が推されていなかった後、前記第２の弾性素子２５１’は前記推し板を前記頂蓋２２’内に弾き戻す。つまり、前記推し板２５３’が推されるとき、前記第２の弾性素子２５１’は圧縮されて力を蓄え、同時に、前記第２の弾性素子２５１’に接続される前記プッシュロッド２３３’が推される。すると、前記プッシュロッド２３３’は前記スライダ２３１’を牽引して互いに近づくように摺動する。特に、前記推し板２５３’が推されていなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達する。さらに、前記第２の弾性素子２５１’は前記推し板を前記頂蓋２２’内に弾き戻す。前記推し板２５３’が推される最大距離は前記スライダ２３１’が互いに近づく最小距離にマッチングするものである。
【００５８】
特に、前記ロック部品２６’はさらにロック材２６１’およびロックボタン２６２’を含む。前記ロックボタン２６２’は前記頂蓋２２’に設置される。前記ロック材２６１’は前記ロックボタン２６２’により推される。前記ロック材２６１’は前記推し板２５３’に係止される。実施例２において、前記第２の弾性素子２５１’は前記プッシュロッド２３３’に固定される。前記プッシュロッド２３３’が前記スライダ２３１’により牽引される時、前記第２の弾性素子２５１’は引き伸ばされる。前記ロックボタン２６２’が前記ロック材２６１’を推し、前記ロック材２６１’と前記推し板２５３’とを互いにロックさせる時、前記推し板２５３’は前記第２の弾性素子２５１’により引き伸ばされなかった。前記推し板２５３’を推すまたは前記推し板２５３’が揺れる時、前記推し板２５３’は前記頂蓋２２’に安定に固定され、前記スライダ２３１’が揺れない。前記スライダ２３１’が前記ハウジング部品１０’の前記固定板１６’に固定されると、前記ロックボタン２６２’は前記ロック材２６１’をロックして前記推し板２５３’をロックし、前記スライダ２３１’の揺れを効果的に防止し、前記スライダ２３１’が前記固定板１６’から落ちることを防止する。前記ロックボタン２６２’が前記ロック材２６１’を推し、前記ロック材２６１’と前記推し板２５３’とを互いにロックさせない時、前記推し板２５３’は前記プッシュロッド２３３’を推し、前記スライダ２３１’を前記固定板１６’から分離させる。
【００５９】
実施例２において、前記ハウジングベース１１’は前記固定部材２３’の前記スライダ２３１’により固定される。つまり、前記ハウジング部品１０’が前記引っかかり装置２０’へ移動し、前記固定筒１１２’が前記引っかかり装置２０’外をカバーする時、前記固定板１１１’は突出した前記スライダ２３１’を押圧する。前記スライダ２３１’が力を受けて互いに近づく時、前記第１の弾性素子２３２’は圧縮されて力を蓄えるが、前記プッシュロッド２３３’は牽引されて前記ベース２１’方向へ摺動する。しかしながら、前記第２の弾性素子２５１’は引き伸ばされなく、前記推し板２５３’は牽引されない。すると、前記スライダ２３１’が力を受けなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達し、前記第２の弾性素子２５１’により推されることを待つ。前記スライダ２３１’は、前記ハウジング部品１０’を前記固定部材２３’に固定させるように、前記ハウジング部品１０’の前記固定板１１１’に固定される。即ち、前記固定板１１１’は前記スライダ２３１’に係止される。同時に、前記引っかかり装置２０’に位置する前記ソケット３３’は前記ハウジング部品１０’に位置する前記プラグ３４’に接続され、回路の全体を形成する。前記引っかかり装置２０’と前記ハウジング部品１０’を固定した後、前記ロックボタン２６２’は推される。前記ロック材２６１’と前記推し板２５３’は互いにロックされ、前記推し板２５３’は前記第２の弾性素子２５１’により引き伸ばされない。前記推し板２５３’を推すまたは前記推し板２５３’が揺れる時、前記推し板２５３’は前記頂蓋２２’に安定に固定され、前記スライダ２３１’も揺れない。前記スライダ２３１’が前記ハウジング部品１０’の前記固定板１６’に固定されると、前記ロックボタン２６２’は前記ロック材２６１’をロックして前記推し板２５３’をロックし、前記スライダ２３１’が揺れることを防止し、前記スライダ２３１’が前記固定板１６’から落ちることを防止する。好ましくは、前記引っかかり装置２０’は予め設定した位置に予め固定される。このようにして、前記ハウジング部品１０’が前記引っかかり装置２０’に固定される時、前記ハウジング部品１０’を前記引っかかり装置２０’に押し入れ、回路と固定天井灯を接続させる。
【００６０】
また、前記ハウジング部品１０’を取り外そうとする時、前記ロックボタン２６２’は前記ロック材２６１’を推し、前記ロック材２６１’と前記推し板２５３’を互いにロックさせなく、前記推し板２５３’は前記プッシュロッド２３３’を推し、前記スライダ２３１’を前記固定板１６’から離間させる。前記推し板２５３’が推される時、前記第２の弾性素子２５１’は圧縮されて力を蓄え、同時に、前記第２の弾性素子２５１’に接続される前記プッシュロッド２３３’は推される。すると、前記プッシュロッド２３３’は前記スライダ２３１’を牽引して互いに近づくように摺動する。前記スライダ２３１’は前記ハウジング部品１０’の前記固定板１１１’から離間し、前記ハウジング部品１０’を前記引っかかり装置２０’の前記固定部材２３’から離間させ、前記ハウジング部品１０’を前記引っかかり装置２０’から離間させる。特に、前記推し板２５３’が押されていなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達する。また、前記第２の弾性素子２５１’は前記推し板２５３’を前記頂蓋２２’内に弾き戻す。前記推し板２５３’が押された最大距離と前記スライダ２３１’が互いに近づく最小距離はマッチングするものである。このようにして、固定を直接解除しただけでなく、前記ソケット３３’と前記プラグ３４’は直接離間し、複雑な回路操作を避ける。
【００６１】
実施例２における分体式天井灯の前記ハウジング部品１０’および前記引っかかり装置２０’はいずれもケーブルを外に露出しなく、前記発光回路ユニット３０’ に対してよく保護し、同時に、取付の難度を低くさせる。前記ハウジング部品１０’を取り付ける時、前記ハウジングベース１１’を前記引っかかり装置２０’へ押すと、前記引っかかり装置２０’は前記ハウジング部品１０’を予め設定した位置に固定させる。前記ハウジング部品１０’ の取り外しも簡単である。例えば、個人の好みにより、異なるスタイルの前記ハウジング部品１０’を置換しようとする時、ユーザ自分は、前記ロックボタン２６２’を推すと、前記推し板２５３’を推し、前記固定部材２３’を前記ハウジング部品１０’の前記固定板１１１’から離間させる。実施例２において、前記推し板２５３’が推される時、前記第２の弾性素子２５１は圧縮されて力を蓄え、同時に、前記第２の弾性素子２５１’に接続される前記プッシュロッド２３３’も推される。すると、前記プッシュロッド２３３’は前記スライダ２３１’を牽引して互いに近づくように摺動する。特に、前記推し板２５３’が推されなかった後、前記第１の弾性素子２３２’は前記スライダ２３１’を元の位置に弾き戻し、前記プッシュロッド２３３’も牽引されて前記電源ハウジング３２’に沿って下へ摺動して元の位置に達する。さらに、前記第２の弾性素子２５１’は前記推し板を前記頂蓋２２’内に弾き戻す。前記推し板２５３’が推される最大距離は前記スライダ２３１’が互いに近づく最小距離にマッチングする。前記スライダ２３１’は前記ハウジング部品１０’の前記固定板１１１’から離間し、前記ハウジング部品１０’を前記引っかかり装置２０’の前記固定部材２３’から離間させ、前記ハウジング部品１０’を前記引っかかり装置２０’から離間させる。このようにして、固定を直接解除しただけでなく、前記ソケット３３’と前記プラグ３４’は直接離間し、複雑な回路操作を避ける。また、複数の前記ハウジング部品１０’はいずれも同一の引っかかり装置２０’を用いて、複数の選択を提供する。即ち、前記引っかかり装置２０’を取り付けた後、必要に応じて、様々な前記ハウジング部品１０’を置換して使用し、壁面を破壊しなく、天井灯のコストを効果的に低減させる。実施例２において、好ましくは、前記発光部３５’はＬＥＤであり、前記電源３１’はＬＥＤモジュールである。また、実施例２において、前記固定板１１１’、前記引っかかり部材２４’等設置されて、異なる灯に対して置換の可能性を提供する。
【００６２】
また、以上の本発明の実施例によれば、本発明の実施例３において、前記分体式天井灯はハウジング部品１０’’、引っかかり装置２０’’及び発光回路ユニット３０’’を含む。前記ハウジング部品１０’’と前記発光回路ユニット３０’’の構成は実施例２における前記分体式天井灯及びその引っかかり装置の前記ハウジング部品１０’、前記引っかかり装置２０’、前記発光回路ユニット３０’に類似し、ここでの説明は不要である。
【００６３】
図８Ａおよび図８Ｂに示すように、前記引っかかり装置２０’’はさらに少なくとも１つの固定部材２３’’を含む。前記固定部材２３’’は前記ハウジング部品１０’’に着脱可能に接続される。前記ハウジング部品１０’’はさらに固定筒１１２’’の内壁に位置する少なくとも１つの固定板１１１’’を含む。前記固定板１１１’’は前記固定部材２３’’に着脱可能に接続され、それぞれの前記固定板１１１’’はそれぞれの前記固定部材２３’’に対応して着脱可能に接続される。つまり、前記ハウジング部品１０’’が前記引っかかり装置２０’’へ移動し、前記固定筒１１２’’が前記引っかかり装置外２０’’をカバーする時、前記固定板１１１’’は前記固定部材２３’’により固定される。前記固定部材２３’’は前記ハウジング部品１０’’に固定され、前記ハウジング部品１０’’を前記固定部材２３’’に固定させる。同時に、前記引っかかり装置２０’’に位置する前記ソケット３３’’は前記ハウジング部品１０’’に位置する前記プラグ３４’’に接続され、回路の全体を形成する。好ましくは、前記固定部材２３’および前記固定板１１１’’は磁性材料またはバックルを用い、前記固定部材２３’は前記電源ハウジング３２’の表面に設置される。
【００６４】
実施例３において、前記ハウジングベース１１’’は前記固定部材２３’’により接続して固定される。つまり、前記ハウジング部品１０’’が前記引っかかり装置２０’’へ移動し、前記固定筒１１２’’が前記引っかかり装置外２０’’をカバーする時、前記固定板１１１’’は前記固定部材２３’’により固定される。前記固定部材２３’’は、前記ハウジング部品１０’’を前記固定部材２３’’に固定させるために、前記ハウジング部品１０’’の前記固定板１１１’’に固定される。同時に、前記引っかかり装置２０’’に位置する前記ソケット３３’’は前記ハウジング部品１０’’に位置する前記プラグ３４’’に接続され、回路の全体を形成する。特に、前記固定部材２３’およびマッチングする前記固定板１１１’’の位置は前記ソケット３３’’および前記プラグ３４’’の位置により設置してもよく、これによって、前記固定部材２３’’がマッチングする前記固定板１１１’’に接続される時、前記ソケット３３’’と前記プラグ３４’’もマッチングして接続される。好ましくは、前記引っかかり装置２０’’は予め設定した位置に予め固定される。このようにして、前記ハウジング部品１０’’が前記引っかかり装置２０’’に固定される時、前記ハウジング部品１０’’を前記引っかかり装置２０’’に押し入れると、回路の接続および天井灯の固定を完成させる。さらに、前記ハウジング部品１０’’を取り外そうとする時、前記ハウジング部品１０’’と前記引っかかり装置２０’’を対向して移動させると、前記固定部材２３’’と前記固定板１１１’’を離間させる。
【００６５】
図８Ａに示すように、実施例３において、前記固定部材２３’’は一組の異極の磁性材料を用い、前記固定板１１１’’は一組の異極の磁性材料を用いる。前記固定板１１１’’と前記固定部材２３’’が固定される時、一定の位置のみで接続されることができる。取り外そうとする時、前記ソケット３３’’と前記プラグ３４’’を離間させた後、前記ハウジング部品１０’’と前記引っかかり装置２０’’を対向して回転させ、前記固定板１１１’’と前記固定部材２３’’を磁力吸引から離間させればよい。同時に、前記固定板１１１’’と前記固定部材２３’’が互いに接続される時、わずかな揺れを保証したまま離間しない。
【００６６】
本発明の実施例４に係る分体式天井灯は図９に示す。前記分体式天井灯はハウジング部品１０Ｂ、引っかかり装置２０Ｂ及び発光回路ユニット３０Ｂを含む。前記ハウジング部品１０Ｂと前記発光回路ユニット３０Ｂの構成は実施例２における前記分体式天井灯の前記ハウジング部品１０’、前記引っかかり装置２０’および前記発光回路ユニット３０’に類似し、ここでの説明は不要である。実施例２に類似し、前記ハウジング部品１０Ｂは前記引っかかり装置２０Ｂに着脱可能に接続される。
【００６７】
前記ハウジング部品１０Ｂは固定部材２３Ｂおよびはね返り部品２５Ｂを含む。前記引っかかり装置２０Ｂは固定板１１１Ｂを含む。前記固定部材２３Ｂのはね返りにより前記固定板１１１Ｂを係止させ、これによって、前記ハウジング部品１０Ｂと前記引っかかり装置２０Ｂを固定させる。つまり、前記固定部材２３Ｂと前記はね返り部品２５Ｂの位置および前記固定板１１１Ｂの位置を置換させる。このようにして、前記ハウジング部品１０Ｂが取り付けられるとき、前記スライダ２３１Ｂは前記固定板１１１Ｂにより推され、前記引っかかり装置２０Ｂを前記ハウジングベース１１Ｂの固定筒１１２Ｂに入れる。前記スライダ２３１Ｂは前記固定板１１１Ｂにより係止される。前記固定板１１１Ｂは、前記ハウジング部品１０Ｂを前記固定部材２３Ｂに固定させるように、前記ハウジング部品１０Ｂの前記固定部材２３Ｂに固定される。同時に、前記引っかかり装置２０Ｂに位置する前記ソケット３３Ｂは前記ハウジング部品１０Ｂに位置する前記プラグ３４Ｂに接続され、回路の全体を形成する。特に、前記固定部材２３Ｂの位置およびマッチングした前記固定板１１１Ｂの位置は前記ソケット３３Ｂの位置および前記プラグ３４Ｂの位置により設置してもよく、これによって、前記固定部材２３Ｂはマッチングした前記固定板１１１Ｂに接続される時、前記ソケット３３Ｂと前記プラグ３４Ｂもマッチングして接続される。好ましくは、前記引っかかり装置２０Ｂは予め設定した位置に予め固定され、これによって、前記ハウジング部品１０Ｂが前記引っかかり装置２０Ｂに固定される時、前記ハウジング部品１０Ｂを前記引っかかり装置２０Ｂに押し入れると、回路の接続および天井灯の固定を完成させる。
【００６８】
本発明の実施例５の側面図は図１０に示す。前記分体式天井灯はハウジング部品１０Ｃ、引っかかり装置２０Ｃ及び発光回路ユニット３０Ｃを含む。前記ハウジング部品１０Ｃおよび前記発光回路ユニット３０Ｃの構成は実施例２における前記分体式天井灯の前記ハウジング部品１０’、前記引っかかり装置２０’および前記発光回路ユニット３０’に類似し、ここでの説明は不要である。
【００６９】
実施例２に類似し、前記引っかかり装置２０Ｃは前記固定部材２３Ｃを含む。前記固定部材２３Ｃは止め材２３０Ｃを含む。前記止め材２３０Ｃは一体型のフック型材であり、上述した実施例における前記スライダ、前記第１の弾性素子および前記プッシュロッドを集積した。前記止め材２３０Ｃは一部が前記引っかかり装置２０Ｃ内に設置される。前記ハウジング部品１０Ｃを前記引っかかり装置２０Ｃに取り付ける時、前記固定板１１１Ｃは前記止め材２３０Ｃを推して前記引っかかり装置２０Ｃに押圧し、前記固定板１１１Ｃは通ることができる。前記固定板１１１Ｃが通った後、前記止め材２３０Ｃは初期位置に弾き戻り、前記固定板１１１Ｃを係止する。前記固定部材２３Ｃは、前記ハウジング部品１０Ｃを前記固定部材２３Ｃに固定させるように、前記ハウジング部品１０Ｃの前記固定板１１１Ｃに固定される。同時に、前記引っかかり装置２０Ｃに位置する前記ソケット３３Ｃは前記ハウジング部品１０Ｃに位置する前記プラグ３４Ｃに接続され、回路の全体を形成する。特に、前記固定部材２３Ｃおよびマッチングした前記固定板１１１Ｃの位置は前記ソケット３３Ｃおよび前記プラグ３４Ｃの位置により設置されてもよく、これによって、前記固定部材２３Ｃがマッチングした前記固定板１１１Ｃに接続される時、前記ソケット３３Ｃと前記プラグ３４Ｃもマッチングして接続される。好ましくは、前記引っかかり装置２０Ｃは予め設定した位置に予め固定され、このようにして、前記ハウジング部品１０Ｃが前記引っかかり装置２０Ｃに固定される時、前記ハウジング部品１０Ｃを前記引っかかり装置２０Ｃに押し入れると、回路の接続および天井灯の固定を完成させる。
【００７０】
本発明の実施例６の側面図は図１１に示す。前記分体式天井灯はハウジング部品１０Ｄ、引っかかり装置２０Ｄ及び発光回路ユニット３０Ｄを含む。前記ハウジング部品１０Ｄと前記発光回路ユニット３０Ｄの構成は実施例２における前記分体式天井灯の前記ハウジング部品１０’、前記引っかかり装置２０’および前記発光回路ユニット３０’に類似し、ここでの説明は不要である。
【００７１】
実施例２に類似し、前記引っかかり装置２０Ｄは前記固定部材２３Ｄを含む。前記固定部材２３Ｄは止め材２３０Ｄを含む。前記止め材２３０Ｄは一体型の弦月型材であり、上述した実施例における前記スライダ、前記第１の弾性素子および前記プッシュロッドを集積した。前記止め材２３０Ｄは一部が前記引っかかり装置２０Ｄ内に設置される。前記ハウジング部品１０Ｄを前記引っかかり装置２０Ｄに取り付ける時、前記固定板１１１Ｄは前記止め材２３０Ｄを推して前記引っかかり装置２０Ｄに押圧し、前記固定板１１１Ｄは通ることができる。前記固定板１１１Ｄが通った後、前記止め材２３０Ｄは初期位置に弾き戻り、前記固定板１１１Ｄを係止する。前記固定部材２３Ｄは、前記ハウジング部品１０Ｄを前記固定部材２３Ｄに固定させるように、前記ハウジング部品１０Ｄの前記固定板１１１Ｄに固定される。同時に、前記引っかかり装置２０Ｄに位置する前記ソケット３３Ｄは前記ハウジング部品１０Ｄに位置する前記プラグ３４Ｄに接続され、回路の全体を形成する。特に、前記固定部材２３Ｄおよびマッチングした前記固定板１１１Ｄの位置は前記ソケット３３Ｄおよび前記プラグ３４Ｄの位置により設置されてもよく、これによって、前記固定部材２３Ｄがマッチングした前記固定板１１１Ｄに接続される時、前記ソケット３３Ｄと前記プラグ３４Ｄもマッチングして接続される。好ましくは、前記引っかかり装置２０Ｄは予め設定した位置に予め固定され、このようにして、前記ハウジング部品１０Ｄが前記引っかかり装置２０Ｄに固定される時、前記ハウジング部品１０Ｄを前記引っかかり装置２０Ｄに押し入れると、回路の接続および天井灯の固定を完成させる。
【００７２】
本発明の実施例７の側面図は図１２に示す。前記分体式天井灯はハウジング部品１０Ｅ、引っかかり装置２０Ｅ及び発光回路ユニット３０Ｅを含む。前記ハウジング部品１０Ｅと前記発光回路ユニット３０Ｅの構成は実施例２の前記分体式天井灯及びその引っかかり装置の前記ハウジング部品１０’、前記引っかかり装置２０’と前記発光回路ユニット３０’に類似し、ここでの説明は不要である。
【００７３】
実施例２に類似し、前記引っかかり装置２０Ｅは前記固定部材２３Ｅを含む。前記固定部材２３Ｅは止め材２３０Ｅを含む。前記止め材２３０Ｅは一体型のガス充填材であり、一部が前記引っかかり装置２０Ｅ内に設置される。前記止め材２３０Ｅにおいての前記引っかかり装置２０Ｅに突出した一部が押し戻すことができ、また、力を受けなかった時、弾き戻されて前記引っかかり装置２０Ｅに突出する。前記ハウジング部品１０Ｅを前記引っかかり装置２０Ｅに取り付ける時、前記固定板１１１Ｅは前記止め材２３０Ｅを推して前記引っかかり装置２０Ｅに押圧し、前記固定板１１１Ｅは通ることができる。前記固定板１１１Ｅが通った後、前記止め材２３０Ｅは初期位置に弾き戻り、前記固定板１１１Ｅを係止する。前記固定部材２３Ｅは、前記ハウジング部品１０Ｅを前記固定部材２３Ｅに固定させるように、前記ハウジング部品１０Ｅの前記固定板１１１Ｅに固定される。同時に、前記引っかかり装置２０Ｅに位置する前記ソケット３３Ｅは前記ハウジング部品１０Ｅに位置する前記プラグ３４Ｅに接続され、回路の全体を形成する。特に、前記固定部材２３Ｅおよびマッチングした前記固定板１１１Ｅの位置は前記ソケット３３Ｅおよび前記プラグ３４Ｅの位置により設置されてもよく、これによって、前記固定部材２３Ｅがマッチングした前記固定板１１１Ｅに接続される時、前記ソケット３３Ｅと前記プラグ３４Ｅもマッチングして接続される。好ましくは、前記引っかかり装置２０Ｅは予め設定した位置に予め固定され、このようにして、前記ハウジング部品１０Ｅが前記引っかかり装置２０Ｅに固定される時、前記ハウジング部品１０Ｅを前記引っかかり装置２０Ｅに押し入れると、回路の接続および天井灯の固定を完成させる。取り外そうとする時、前記止め材２３０Ｅにおけるガスを放出させると、前記止め材２３０Ｅは前記固定板１１１Ｅから離間し、前記ハウジング部品１０Ｅを前記引っかかり部材２０Ｅから取り外す。
【００７４】
本発明の実施例８は図１３〜図３２に示す。実施例８に係る前記分体式天井灯は、ハウジング部品１０Ｆ、引っかかり装置２０Ｆ及び発光回路ユニット３０Ｆを含む。好ましくは、前記引っかかり装置２０Ｆは壁面に予め設置される。前記ハウジング部品１０Ｆは前記引っかかり装置に着脱可能に接続される。具体的には、図１３および図１４に示すように、前記発光回路ユニット３０Ｆはさらに灯体回路素子３０１Ｆおよび予め設定した回路素子３０２Ｆを含む。前記予め設定した回路素子３０２Ｆはさらに電源３１Ｆ、電源ハウジング３２Ｆ、ソケット３３Ｆ、及びソケットハウジング３６Ｆを含む。前記電源ハウジング３２Ｆは前記電源３１Ｆを保護して支持する。前記ソケット３３Ｆは前記電源３１Ｆに接続されてエネルギーを出力する。前記ソケットハウジング３６Ｆは前記ソケット３３Ｆを保護する。前記発光部回路素子３０１Ｆはさらに発光部３５Ｆおよびプラグ３４Ｆを含む。前記発光部３５Ｆは前記プラグ３４Ｆに接続される。回路を形成するとき、前記電源３１Ｆにより発光する。前記プラグ３４Ｆは前記ソケット３３Ｆに離間可能に接続され、回路の全体を形成する。
【００７５】
前記ハウジング部品１０Ｆはさらにハウジングベース１１Ｆおよび灯カバー１２Ｆを含む。前記発光部３５Ｆと前記プラグ３４Ｆは前記ハウジングベース１１Ｆと前記灯カバー１２Ｆとの間に固定される。さらに、前記ハウジング部品１１Ｆはさらに固定部１１０Ｆを含む。前記固定部１１０Ｆはさらに固定板１１１Ｆおよび固定筒１１２Ｆを含む。前記固定板１１１Ｆは、前記発光部３５Ｆを前記固定板１１１Ｆと前記灯カバー１２Ｆとの間に収納されるために、前記灯カバー１２Ｆに着脱可能に接続される。前記固定筒１１２Ｆは下へ前記固定板１１１Ｆに延伸し、前記固定筒１１２Ｆの一端を前記固定板１１１Ｆに接続させ、前記固定筒１１２Ｆは、前記引っかかり装置２０Ｆが前記固定筒１１２Ｆ内部に挿入するように、前記ハウジングベース１１Ｆと前記灯カバー１２Ｆとの間にチャンバを形成する。前記固定筒１１２Ｆはさらに少なくとも１つの固定ブロック１１２０Ｆを含む。前記固定ブロック１１２０Ｆは前記固定筒１１２Ｆ内壁から延伸して突出する。実施例８において、前記固定ブロック１１２０Ｆは２つあり、対称して前記固定筒１１２Ｆの内側に設置される。このようにして、好ましくは、前記ハウジング部品１０Ｆは前記引っかかり装置２０Ｆへ直接推されると、前記ハウジング部品１０Ｆの前記固定筒１１２Ｆが前記引っかかり装置２０Ｆにより固定され、前記発光回路ユニット３０Ｆも接続される。
実施例８において、前記引っかかり装置２０Ｆはさらにベース２１Ｆ、頂蓋２２Ｆ、固定部材２３Ｆ、引っかかり部材２４Ｆ及びロック部品２６Ｆを含む。前記固定部材２３Ｆは前記頂蓋２２Ｆと前記ベース２１Ｆとの間に設置される。前記ロック部品２６Ｆは前記固定部材２３Ｆと前記ハウジング部品１０Ｆの前記固定部１１０Ｆとの間に設置され、前記固定部材２３Ｆと前記固定部１１０Ｆをロックし、それらの移動による前記ハウジング部品１０Ｆの落ちを防止する。前記引っかかり部材２４Ｆは前記ベース２１Ｆに設置される。好ましくは、前記引っかかり部材２４Ｆは、前記引っかかり装置２０Ｆが予め設定した位置に予め固定されるために、標準材となる。実施例８において、本発明はさらに拡張部品１５Ｆを含む。前記拡張部品１５Ｆは前記引っかかり装置２０Ｆに設置される。好ましくは、前記拡張部品１５Ｆは、前記ハウジング部品１０Ｆを取り付けていない時、一定の発光効果を有するために、小灯組となる。前記拡張部品１５Ｆはさらに制御板１５１Ｆおよび小灯板１５２Ｆを含む。前記制御板１５１Ｆおよび前記小灯板１５２Ｆは前記電源ハウジング３２Ｆ内に固定される。前記制御板１５１Ｆは前記小灯板１５２Ｆと前記電源３１Ｆに電気的に接続される。取付または停電のときの使用に有利である。また、前記引っかかり装置２０Ｆの前記頂蓋２２Ｆは、前記拡張部品１５Ｆが前記頂蓋２２Ｆを透過して発光するように透明材となる。
【００７６】
図１５に示すように、具体的には、前記ハウジング部品１０Ｆが前記固定部材２３Ｆに取り付けられる前、前記プラグ３４Ｆと前記ソケット３３Ｆは分けられるものである。つまり、前記発光部回路素子３０１Ｆと前記予め設定した回路素子３０２Ｆは回路を形成しない。前記ハウジング部品１０Ｆが前記引っかかり装置２０Ｆの前記固定部材２３Ｆに固定された後、前記プラグ３４Ｆが前記ソケット３３Ｆに接続されることにより、前記発光部回路素子３０１Ｆと前記予め設定した回路素子３０２Ｆを連通させる。
【００７７】
実施例８において、前記固定部材２３Ｆは下へ前記電源ハウジング３２Ｆに延伸し、前記電源ハウジング３２Ｆと前記固定部材２３Ｆは接続される２つの筒形ハウジングとなる。無論、前記電源ハウジング３２Ｆと前記固定部材２３Ｆは一体成型した筒形の構成であってもよい。実施例８において、前記電源ハウジング３２Ｆと前記固定部材２３Ｆは階段状となって互いに接続される。このようにして、前記ハウジング部品１１Ｆの前記固定部１１０Ｆの前記固定筒１１２Ｆが前記固定部材２３Ｆに取り付けられる時、前記電源ハウジング３２Ｆはある程度の阻止作用を果たし、前記ハウジング部品１１Ｆと前記固定部材２３Ｆの位置マッチングは容易になる。他の実施例において、前記電源ハウジング３２Ｆの外径は前記固定部材２３Ｆの外径は一致してもよい。つまり、前記電源ハウジング３２Ｆの形状と前記固定部材２３Ｆの形状は本発明機能の実現に影響を与えない。
【００７８】
図１６に示すように、前記引っかかり装置２０Ｆの前記固定部材２３Ｆはさらに少なくとも１つの止め材２３０Ｆを含む。前記止め材２３０Ｆは前記固定部材２３Ｆに一体成型される。前記止め材２３０Ｆに係止溝２３００Ｆが形成される。実施例８において、前記ソケットハウジング３６Ｆは、前記止め材２３０Ｆと連通するように、前記固定部材２３Ｆに設置される。つまり、前記ソケットハウジング３６Ｆと前記止め材２３０Ｆは一体成型する。図１６から見れば、前記電源ハウジング３２Ｆの一端が前記ベース２１Ｆにより覆われる。前記ベース２１Ｆに前記引っかかり部材２４Ｆが設置される。前記電源ハウジング３２Ｆの他端が前記固定部材２３Ｆの一端に接続される。前記ソケットハウジング３６Ｆは、前記固定部材２３Ｆに形成され、前記固定部材２３Ｆの前記止め材２３０Ｆと一体になって前記固定部材２３Ｆの表面に形成される。また、前記電源３１Ｆは前記電源ハウジング３２Ｆの内部に設置される。前記ソケット３３Ｆは前記ソケットハウジング３６Ｆの内部に設置される。無論、前記ソケットハウジング３６Ｆは、前記プラグ３４Ｆと前記ソケットハウジング３６Ｆを互いに接続させるように、前記プラグ３４Ｆの挿入を許可する。さらに、前記拡張部品１５Ｆは前記電源ハウジング３２Ｆの内部に設置される。無論、前記電源ハウジング３２Ｆが前記固定部材２３Ｆに接続されるため、前記拡張部品１５Ｆも前記固定部材２３Ｆの内部に設置される。前記固定部材２３Ｆの他端は前記頂蓋２２Ｆに接続される。好ましくは、前記拡張部品１５Ｆの機能要求に応じて、前記頂蓋２２Ｆの材質を変更してもよい。例えば、前記拡張部品１５Ｆは灯組であり、前記頂蓋２２Ｆは透光の材質である。例えば、前記拡張部品１５Ｆはフルオキシブジェネレータまたは負イオンジェネレータであり、前記頂蓋２２Ｆは通気の材質である。
【００７９】
図１７は前記ハウジング部品１０Ｆの分解図である。前記ハウジングベース１１Ｆと前記灯カバー１２Ｆとの間において、順に前記固定板１１１Ｆ、前記固定筒１１２Ｆ、前記発光部３５Ｆ、及び前記ロック部品２６Ｆが設置される。前記発光部３５Ｆに接続される前記プラグ３４Ｆは前記固定筒１１２Ｆに固定される。前記固定板１１１Ｆは放熱の効果を有する。実施例８において、前記固定筒１１２Ｆと前記固定板１１１Ｆは分体型である。他の実施例において、前記固定筒１１２Ｆと前記固定板１１１Ｆは一体成型するものであり、即ち、一回ダイで成型した前記固定部１１０Ｆである。より好ましくは、前記ハウジングベース１１Ｆと前記固定部１１０Ｆも一体成型するものである。また、前記ロック部品２６Ｆは前記固定筒１１２Ｆと前記固定部材２３Ｆをロックする。前記ロック部品２６Ｆはさらに、前記固定部材２３Ｆの一端に設置されるロック材２６１Ｆと、前記固定筒１１２Ｆの内側に設置されるロックロッド２６３Ｆと、前記ロックロッド２６３Ｆと前記引っかかり装置２０Ｆをロックするロックキャップ２６４Ｆと、を含む。好ましくは、前記ロックキャップ２６４Ｆの内側にネジ山があり、前記頂蓋２２Ｆの外表面にも対応するネジ山があり、前記ロックキャップ２６４Ｆと前記頂蓋２２Ｆを互いにロックさせ、これによって、前記引っかかり装置２０Ｆをロックする。
【００８０】
前記引っかかり装置２０Ｆの前記電源ハウジング３２Ｆおよび前記固定部材２３Ｆとその他の部品との関係は図１８に示す。前記ベース２１Ｆは、前記電源ハウジング３２Ｆの一端に設置され、さらに前記引っかかり部材２４Ｆに取り付けられ、前記ベース２１Ｆを前記予め設定した位置に固定させる。実施例８において、前記電源ハウジング３２Ｆと前記固定部材２３Ｆは分体型であり、前記固定部材２３Ｆの一端が前記電源ハウジング３２Ｆの他端に接続される。前記固定部材２３Ｆの前記止め材２３０Ｆは前記固定部材２３Ｆの表面に一体成型する。好ましくは、前記ソケットハウジング３６Ｆは前記止め材２３０Ｆと一体成型する。前記頂蓋２２Ｆは前記固定部材２３Ｆの他端に着脱可能に接続される。好ましくは、前記頂蓋２２Ｆの外表面にはネジ山があり、前記ロックキャップ２６４Ｆ内側のネジ山と結合する。前記止め材２３０Ｆと前記ソケットハウジング３６Ｆは前記固定部材２３Ｆの表面に一体成型し、逆Ｆ形となることが好ましい。
【００８１】
実施例８において、図１８および図１９に示すように、前記電源ハウジング３２Ｆと前記固定部材２３Ｆは階段状となって接続される。前記電源ハウジング３２Ｆは前記固定部材２３Ｆより大きい。前記固定部材２３Ｆと前記電源ハウジング３２Ｆとの間の接続箇所は前記ロック材２６１Ｆとなる。好ましくは、前記ロック材２６１Ｆは前記ロックロッド２６３Ｆにマッチングする孔を有する。実施例８において、前記ロック材２６１Ｆは環状板であり、対称する２つの前記孔を有する。他の実施例において、前記固定部材２３Ｆ、前記ロック材２６１Ｆ及び前記電源ハウジング３２Ｆは一体成型する。つまり、ダイにより前記固定部材２３Ｆ、前記ロック材２６１Ｆ及び前記電源ハウジング３２Ｆは一体成型する。また、前記係止溝２３００Ｆと前記ハウジング部品１０Ｆにおける前記固定部１１０Ｆの前記固定筒１１２Ｆとはマッチングし、前記固定筒１１２Ｆの前記固定ブロック１１２０Ｆを前記係止溝２３００Ｆに取り付けて固定させる。前記固定ブロック１１２０Ｆが前記係止溝２３００Ｆから離間することにより、前記ハウジング部品１０Ｆを前記引っかかり装置２０Ｆから離間させることを防止するために、前記ロック部品２６Ｆは前記固定筒１１２Ｆと前記固定部材２３Ｆを互いにロックさせる。実施例８において、前記止め材２３０Ｆが形成される前記係止溝２３００Ｆは前記ソケットハウジング３６Ｆと前記ロック材２６１Ｆとの間に位置する。このようにして、前記係止溝２３００Ｆが前記固定筒１１２Ｆの前記固定ブロック１１２０Ｆに係止される時、前記ロック材２６１Ｆも前記ロックロッド２６３Ｆをロックすることに利便である。
【００８２】
実施例８において、前記止め材２３０Ｆは２つあり、対称して前記固定部材２３Ｆに形成される。これに対応する前記固定筒１１２Ｆの前記固定ブロック１１２０Ｆは回転により前記止め材２３０Ｆの前記係止溝２３００Ｆに入る。好ましくは、前記止め材２３０Ｆと前記ソケットハウジング３６Ｆは一体形成され、前記固定部材２３Ｆに突出する。図２０の底面図および図２１の平面図に示すように、前記ソケットハウジング３６Ｆは前記ソケット３３Ｆを収納して前記ソケット３３Ｆを保護する。前記ロック材２６１Ｆと前記ロックロッド２６３Ｆは互いにマッチングする。実施例８において、前記電源ハウジング３２Ｆと前記固定部材２３Ｆはいずれも円柱の筒形であり、前記ハウジング部品１０Ｆの前記固定筒１１２Ｆが前記電源ハウジング３２Ｆと前記固定部材２３Ｆ外部をカバーするようになり、さらに前記ハウジング部品１０Ｆを前記引っかかり装置２０Ｆに固定させ、前記プラグ３４Ｆを前記ソケット３３Ｆに挿入させ、回路を形成する。無論、前記電源ハウジング３２Ｆの形状および前記固定部材２３Ｆの形状は円形に限られなく、他の実施例において、前記電源ハウジング３２Ｆと前記固定部材２３Ｆは楕円、四角形等であってもよい。
【００８３】
前記ハウジング部品１０Ｆの前記固定筒１１２Ｆは前記電源ハウジング３２Ｆの形状と前記固定部材２３Ｆの形状に対応する。図２２に示すように、前記ハウジング部品１０Ｆの前記ハウジングベース１１Ｆの前記固定部１１０Ｆは前記固定板１１１Ｆおよび前記固定筒１１２Ｆにより形成される。前記固定筒１１２Ｆは下へ延伸して前記固定板１１１Ｆに達する。好ましくは、前記固定板１１１Ｆには孔があり、前記固定筒１１２Ｆの一端と前記固定板１１１Ｆを連通させる。つまり、実施例８において、前記ハウジング部品１０Ｆを取り付ける時、前記固定筒１１２Ｆの一端が挿入され、つまり、前記固定筒１１２Ｆが接続される前記固定板１１１Ｆの一端から挿入される。前記固定筒１１２Ｆにおける前記固定ブロック１１２０Ｆは前記引っかかり装置２０Ｆの前記固定部材２３Ｆに互いに固定させる。前記固定筒１１２Ｆにおいて、前記固定ブロック１１２０Ｆはプラグ槽１１２１Ｆを有する。前記プラグ槽１１２１Ｆは前記プラグ３４Ｆを収納する。つまり、前記プラグ３４Ｆは前記固定ブロック１１２０Ｆの前記プラグ槽１１２１Ｆに固定される。このようにして、前記ハウジング部品１０Ｆが前記引っかかり装置２０Ｆに取り付けられる時、前記プラグ３４Ｆは前記ソケット３３Ｆに挿入され、前記発光回路ユニット３０Ｆが回路の全体を形成させる。
【００８４】
好ましくは、前記固定ブロック１１２０Ｆは取り付けられる時、前記固定部材２３Ｆの前記止め材２３０Ｆにマッチングして固定する。実施例８において、前記固定ブロック１１２０Ｆは前記固定筒１１２Ｆの回転に従って前記止め材２３０Ｆに係止される。図２３に示すように、前記固定ブロック１１２０Ｆと前記固定部材２３Ｆの前記止め材２３０Ｆが固定する時、前記プラグ３４Ｆもそれに従って前記ソケット３３Ｆに挿入される。取り付ける時、前記ハウジング部品１０Ｆの前記固定筒１１２Ｆが前記引っかかり装置２０Ｆへ推され、回転により前記固定ブロック１１２０Ｆが前記固定部材２３Ｆの前記止め材２３０Ｆに係止され、前記ハウジング部品１０Ｆの前記固定筒１１２Ｆを前記引っかかり装置２０Ｆの前記固定部材２３Ｆに固定させ、前記固定筒１１２Ｆに位置する前記プラグ３４Ｆも前記ソケット３３Ｆに挿入される。前記ハウジング部品１０Ｆが前記固定部材２３Ｆに取り付けられる前、前記プラグ３４Ｆと前記ソケット３３Ｆは分けられるものであり、つまり、前記発光部回路素子３０１Ｆおよび前記予め設定した回路素子３０２Ｆは回路を形成しない。前記ハウジング部品１０Ｆが前記引っかかり装置２０Ｆの前記固定部材２３Ｆに固定された後、前記プラグ３４Ｆおよび前記ソケット３３Ｆは接続されて前記発光部回路素子３０１Ｆと前記予め設定した回路素子３０２Ｆを連通させる。実施例８において、好ましくは、前記ハウジング部品１０Ｆは前記引っかかり装置２０Ｆへ取り付けられると、前記ハウジング部品１０Ｆが前記引っかかり装置２０Ｆの前記固定部材２３Ｆにより固定され、前記発光回路ユニット３０Ｆも接続される。
【００８５】
また、図２４に示すように、前記固定筒１１２Ｆの内側にさらに前記ロックロッド２６３Ｆを含む。好ましくは、前記ロックロッド２６３Ｆは前記固定ブロック１１２０Ｆの一側に設置される。また、前記ロックロッド２６３Ｆの位置は前記ロック材２６１Ｆに対応する。前記ハウジング部品１０Ｆが前記引っかかり装置２０Ｆの前記固定部材２３Ｆに固定された後、前記プラグ３４Ｆと前記ソケット３３Ｆが接続され、前記ロックロッド２６３Ｆと前記ロック材２６１Ｆとは互いにロックされる。好ましくは、前記ロックロッド２６３Ｆには、前記ロックロッド２６３Ｆを上下においてはね返すように、ロックバネ２６３０Ｆが設置される。つまり、前記プラグ３４Ｆと前記ソケット３３Ｆがまだ接続されていない時、前記ロックロッド２６３Ｆが前記ロック材２６１Ｆに互いにロックしなく、この時、前記固定ブロック１１２０Ｆと前記止め材２３０Ｆは完全にマッチングしない。前記固定ブロック１１２０Ｆと前記止め材２３０Ｆは完全にマッチングして固定する時、前記プラグ３４Ｆと前記ソケット３３Ｆも互いに接続され、前記ロックロッド２６３Ｆと前記ロック材２６１Ｆとは互いにロックし、前記固定ブロック１１２０Ｆの前記止め材２３０Ｆからの退出を防止する。実施例８において、前記ロック材２６１Ｆの前記孔は前記ロックロッド２６３Ｆに挿入され、前記固定ブロック１１２０Ｆと前記止め材２３０Ｆの前記係止溝２３００Ｆの移動を防止し、前記ハウジング部品１０Ｆと前記引っかかり装置２０Ｆの緩みを防止する。実施例８において、図２４と図２５に示すように、前記ロックロッド２６３Ｆは１つのみある。無論、他の実施例において、前記ロックロッド２６３Ｆは、前記ロック材２６１Ｆに対応するように、複数であってもよい。無論、前記ロック材２６１Ｆの位置も前記ロックロッド２６３Ｆに対応して設置される。
【００８６】
前記固定筒１１２Ｆと前記固定部材２３Ｆの取付は図２６〜図２８に示す。実施例８において、前記止め材２３０Ｆは２つあり、対称して前記固定部材２３Ｆに形成される。これに対応する前記固定筒１１２Ｆの前記固定ブロック１１２０Ｆは回転により前記止め材２３０Ｆの前記係止溝２３００Ｆに入る。好ましくは、前記止め材２３０Ｆと前記ソケットハウジング３６Ｆは一体形成され、前記固定部材２３Ｆに突出する。前記ソケットハウジング３６Ｆは前記ソケット３３Ｆを収納して前記ソケット３３Ｆを保護する。前記ロック材２６１Ｆと前記ロックロッド２６３Ｆは互いにマッチングする。実施例８において、前記電源ハウジング３２Ｆと前記固定部材２３Ｆはいずれも円柱の筒形であり、前記ハウジング部品１０Ｆの前記固定筒１１２Ｆが前記電源ハウジング３２Ｆと前記固定部材２３Ｆ外部をカバーするようになり、さらに前記ハウジング部品１０Ｆを前記引っかかり装置２０Ｆに固定させ、前記プラグ３４Ｆを前記ソケット３３Ｆに挿入させ、回路を形成する。つまり、実施例８において、前記ハウジング部品１０Ｆを取り付ける時、前記固定筒１１２Ｆの一端が挿入され、つまり、前記固定筒１１２Ｆが接続される前記固定板１１１Ｆの一端から挿入される。前記固定筒１１２Ｆにおける前記固定ブロック１１２０Ｆは前記引っかかり装置２０Ｆの前記固定部材２３Ｆに互いに固定させる。前記固定筒１１２Ｆにおける前記固定ブロック１１２０Ｆは前記引っかかり装置２０Ｆの前記固定部材２３Ｆと互いに固定することに用いられる。前記ハウジング部品１０Ｆが前記引っかかり装置２０Ｆに取り付けられる時、前記プラグ３４Ｆは前記ソケット３３Ｆに挿入され、前記発光回路ユニット３０Ｆが回路の全体を形成させる。
【００８７】
好ましくは、前記固定ブロック１１２０Ｆは取り付けられる時、前記固定部材２３Ｆの前記止め材２３０Ｆにマッチングして固定する。実施例８において、前記固定ブロック１１２０Ｆは前記固定筒１１２Ｆの回転に従って前記止め材２３０Ｆに係止される。前記固定ブロック１１２０Ｆと前記固定部材２３Ｆの前記止め材２３０Ｆが固定する時、前記プラグ３４Ｆもそれに従って前記ソケット３３Ｆに挿入される。取り付ける時、前記ハウジング部品１０Ｆの前記固定筒１１２Ｆが前記引っかかり装置２０Ｆへ推され、回転により前記固定ブロック１１２０Ｆが前記固定部材２３Ｆの前記止め材２３０Ｆに係止され、前記ハウジング部品１０Ｆの前記固定筒１１２Ｆを前記引っかかり装置２０Ｆの前記固定部材２３Ｆに固定させ、前記固定筒１１２Ｆに位置する前記プラグ３４Ｆも前記ソケット３３Ｆに挿入される。前記ハウジング部品１０Ｆが前記固定部材２３Ｆに取り付けられる前、前記プラグ３４Ｆと前記ソケット３３Ｆは分けられるものであり、つまり、前記発光部回路素子３０１Ｆおよび前記予め設定した回路素子３０２Ｆは回路を形成しない。前記ハウジング部品１０Ｆが前記引っかかり装置２０Ｆの前記固定部材２３Ｆに固定された後、前記プラグ３４Ｆおよび前記ソケット３３Ｆは接続されて前記発光部回路素子３０１Ｆと前記予め設定した回路素子３０２Ｆを連通させる。実施例８において、好ましくは、前記ハウジング部品１０Ｆは前記引っかかり装置２０Ｆへ取り付けられると、前記ハウジング部品１０Ｆが前記引っかかり装置２０Ｆの前記固定部材２３Ｆにより固定され、前記発光回路ユニット３０Ｆも接続される。
【００８８】
前記ハウジング部品１０Ｆが前記引っかかり装置２０Ｆの前記固定部材２３Ｆに固定された後、前記プラグ３４Ｆと前記ソケット３３Ｆが接続され、前記ロックロッド２６３Ｆと前記ロック材２６１Ｆとは互いにロックされる。つまり、前記プラグ３４Ｆと前記ソケット３３Ｆがまだ接続されていない時、前記ロックロッド２６３Ｆが前記ロック材２６１Ｆに互いにロックしなく、この時、前記固定ブロック１１２０Ｆと前記止め材２３０Ｆは完全にマッチングしない。前記固定ブロック１１２０Ｆと前記止め材２３０Ｆは完全にマッチングして固定する時、前記プラグ３４Ｆと前記ソケット３３Ｆも互いに接続され、前記ロックロッド２６３Ｆと前記ロック材２６１Ｆとは互いにロックし、前記固定ブロック１１２０Ｆの前記止め材２３０Ｆからの退出を防止する。実施例８において、前記ロック材２６１Ｆの前記孔は前記ロックロッド２６３Ｆに挿入され、前記固定ブロック１１２０Ｆと前記止め材２３０Ｆの前記係止溝２３００Ｆの移動を防止し、前記ハウジング部品１０Ｆと前記引っかかり装置２０Ｆの緩みを防止する。
【００８９】
図２９と図３０に示すように、前記固定筒１１２Ｆが前記固定部材２３Ｆに固定された後、前記ロックキャップ２６４Ｆはさらに前記引っかかり装置２０の前記頂蓋２２Ｆに取り付けられ、前記ロックロッド２６３Ｆを固定する。好ましくは、前記ロックキャップ２６４Ｆは環状ヒサシ形状である。前記ロックキャップ２６４Ｆは前記ロックロッド２６３Ｆを固定するだけでなく、前記ハウジング部品１０Ｆと前記引っかかり装置２０Ｆが揺れることを阻止する。図３０に示すように、前記ハウジング部品１０Ｆの前記固定筒１１２Ｆが前記引っかかり装置２０Ｆの前記固定部材２３Ｆの前記止め材２３０Ｆに固定されると、前記ロックロッド２６３Ｆは前記ロック材２６１Ｆにロックされる。前記ロックキャップ２６４Ｆは前記引っかかり装置２０Ｆの前記頂蓋２２Ｆに取り付けられ、前記ハウジング部品１０Ｆの前記灯カバー１２Ｆの堕落防止を補助する。
【００９０】
また、図３１に示すように、実施例８において、前記拡張部品１５Ｆは前記電源ハウジング３６Ｆに設置され、具体的には、前記固定部材２３Ｆの内部の下方に設置される。前記拡張部品１５Ｆの前記制御板１５１Ｆと前記小灯板１５２Ｆは前記電源ハウジング３２Ｆ内に固定される。前記制御板１５１Ｆは前記小灯板１５２Ｆと前記電源３１Ｆに電気的に接続される。前記小灯板１５２Ｆは前記引っかかり装置２０Ｆの前記頂蓋２２Ｆを透過して発光する。前記制御板１５１Ｆは前記電源３１Ｆに電気的に接続され、前記小灯板１５２Ｆにエネルギーを提供して発光させる。実施例８において、前記頂蓋２２Ｆは透光材質により製造される。他の実施例において、前記拡張部品１５Ｆはフルオキシブジェネレータまたは負イオンジェネレータであり、前記頂蓋２２Ｆは通気の材質である。つまり、前記拡張部品１５Ｆは前記分体式天井灯に拡張機能を提供し、前記分体式天井灯の応用に利便である。例えば、取り付ける時、実施例８における前記拡張モジュール１５Ｆは光源を提供でき、暗い環境でも前記引っかかり装置２０Ｆの位置を見つけることができる。また、突然停電のとき、前記制御板１５１Ｆはある程度の電力を保持して前記小灯板１５２Ｆを発光させ、緊急光源を提供できる。
【００９１】
実施例８において、前記分体式天井灯及びその引っかかり装置の取付シーンは図３２に示す。前記引っかかり装置２０Ｆは前記予め設定した位置に予め固定される。前記引っかかり装置２０Ｆの前記引っかかり部材２４Ｆは標準引っかかり件である。前記引っかかり装置２０Ｆは前記引っかかり部材２４Ｆにより前記予め設定した位置に固定される。実施例８において、前記予め設定した位置は室内天井の一箇所である。無論、異なる要求に応じて、前記引っかかり装置２０Ｆは、異なる位置、例えば、側面の壁体、木板、装飾板、地面、照明板等に固定されてもよい。前記ハウジング部品１０Ｆは前記引っかかり装置２０Ｆへの押しと回転により、前記ハウジング部品１０Ｆの前記固定筒１１２Ｆが前記引っかかり装置２０Ｆの外をカバーするようになる。回転と係止により、前記ハウジング部品１０Ｆの前記固定筒１１２Ｆは前記引っかかり装置２０Ｆの前記固定部材２３Ｆに固定される。同時に、前記プラグ３４Ｆは前記ソケット３３Ｆに挿入される。最後に、前記ロックキャップ２６４Ｆを前記引っかかり装置２０Ｆの前記頂蓋２２Ｆに取り付けられ、好ましくは、前記ロックキャップ２６４Ｆをネジ山で前記頂蓋２２Ｆに互いにロックさせる。このようにして、前記ハウジング部品１０Ｆは前記予め設定した位置に安定に取り付けられる。つまり、一回の押しと回転により、前記ハウジング部品１０Ｆは前記予め設定した位置に固定され、前記発光回路ユニット３０Ｆも完全に接続される。また、前記引っかかり装置２０Ｆの前記固定部材２３Ｆと前記ハウジング部品１０Ｆの前記固定部１１０Ｆの接続固定、および前記ロック部品２６Ｆのロックと揺れ防止により、前記ハウジング部品１０Ｆは安定に取り付けられる。このような取付は簡単、安全であり、複雑な技術を要求しない。前記分体式天井灯の取付、メンテナンス、および置換に有利である。
【００９２】
本発明の実施例９は図３３〜図３５に示す。前記分体式天井灯はハウジング部品１０Ｇ、引っかかり装置２０Ｇ及び発光回路ユニット３０Ｇを含む。前記ハウジング部品１０Ｇおよび前記発光回路ユニット３０Ｇの構成は実施例８の前記分体式天井灯及びその引っかかり装置の前記ハウジング部品１０Ｆ和前記発光回路ユニット３０Ｆに類似し、ここでの説明は不要である。
【００９３】
好ましくは、前記引っかかり装置２０Ｇは壁面に予め設置される。前記ハウジング部品１０Ｇは前記引っかかり装置に着脱可能に接続される。具体的には、前記発光回路ユニット３０Ｇはさらに灯体回路素子３０１Ｇおよび予め設定した回路素子３０２Ｇを含む。前記予め設定した回路素子３０２Ｇはさらに電源３１Ｇ、電源ハウジング３２Ｇ、ソケット３３Ｇ、及びソケットハウジング３６Ｇを含む。前記電源ハウジング３２Ｇは前記電源３１Ｇを保護して支持する。前記ソケット３３Ｇは前記電源３１Ｇに接続されてエネルギーを出力する。前記ソケットハウジング３６Ｇは前記ソケット３３Ｇを保護する。前記発光部回路素子３０１Ｇはさらに発光部３５Ｇおよびプラグ３４Ｇを含む。前記発光部３５Ｇは、回路を形成する時、前記電源３１Ｇにより発光するように、前記プラグ３４Ｇに接続される。前記プラグ３４Ｇは前記ソケット３３Ｇに離間可能に接続され、回路の全体を形成する。
【００９４】
前記ハウジング部品１０Ｇはさらにハウジングベース１１Ｇおよび灯カバー１２Ｇを含む。前記発光部３５Ｇと前記プラグ３４Ｇは前記ハウジングベース１１Ｇと前記灯カバー１２Ｇとの間に固定される。さらに、前記ハウジング部品１１Ｇはさらに固定部１１０Ｇを含む。前記固定部１１０Ｇはさらに固定板１１１Ｇおよび固定筒１１２Ｇを含む。前記固定板１１１Ｇは、前記発光部３５Ｇを前記固定板１１１Ｇと前記灯カバー１２Ｇとの間に収納されるために、前記灯カバー１２Ｇに着脱可能に接続される。前記固定筒１１２Ｇは下へ前記固定板１１１Ｇに延伸し、前記固定筒１１２Ｇの一端を前記固定板１１１Ｇに接続させ、前記固定筒１１２Ｇは、前記引っかかり装置２０Ｇが前記固定筒１１２Ｇ内部に挿入するように、前記ハウジングベース１１Ｇと前記灯カバー１２Ｇとの間にチャンバを形成する。前記固定筒１１２Ｇはさらに少なくとも１つの固定ブロック１１２０Ｇを含む。前記固定ブロック１１２０Ｇは前記固定筒１１２Ｇ内壁から延伸して突出する。実施例９において、前記固定ブロック１１２０Ｇは２つあり、対称して前記固定筒１１２Ｇの内側に設置される。このようにして、好ましくは、前記ハウジング部品１０Ｇは前記引っかかり装置２０Ｇへ直接推されると、前記ハウジング部品１０Ｇの前記固定筒１１２Ｇが前記引っかかり装置２０Ｇにより固定され、前記発光回路ユニット３０Ｇも接続される。
【００９５】
実施例９において、前記引っかかり装置２０Ｇはさらにベース２１Ｇ、頂蓋２２Ｇ、固定部材２３Ｇ、引っかかり部材２４Ｇ及びロック部品２６Ｇを含む。前記固定部材２３Ｇは前記頂蓋２２Ｇと前記ベース２１Ｇとの間に設置される。前記ロック部品２６Ｇは前記固定部材２３Ｇと前記ハウジング部品１０Ｇの前記固定部１１０Ｇとの間に設置され、前記固定部材２３Ｇと前記固定部１１０Ｇをロックし、それらの移動による前記ハウジング部品１０Ｇの落ちを防止する。前記引っかかり部材２４Ｇは前記ベース２１Ｇに設置される。好ましくは、前記引っかかり部材２４Ｇは、前記引っかかり装置２０Ｇが予め設定した位置に予め固定されるために、標準材となる。実施例９において、前記固定部材２３Ｇは下へ前記電源ハウジング３２Ｇに延伸し、前記電源ハウジング３２Ｇと前記固定部材２３Ｇは接続される２つの筒形ハウジングとなる。無論、前記電源ハウジング３２Ｇと前記固定部材２３Ｇは一体成型した筒形の構成であってもよい。実施例９において、前記電源ハウジング３２Ｇと前記固定部材２３Ｇは階段状となって互いに接続される。このようにして、前記ハウジング部品１１Ｇの前記固定部１１０Ｇの前記固定筒１１２Ｇが前記固定部材２３Ｇに取り付けられる時、前記電源ハウジング３２Ｇはある程度の阻止作用を果たし、前記ハウジング部品１１Ｇと前記固定部材２３Ｇの位置マッチングは容易になる。他の実施例において、前記電源ハウジング３２Ｇの外径は前記固定部材２３Ｇの外径は一致してもよい。つまり、前記電源ハウジング３２Ｇの形状と前記固定部材２３Ｇの形状は本発明機能の実現に影響を与えない。前記引っかかり装置２０Ｇの前記固定部材２３Ｇはさらに少なくとも１つの止め材２３０Ｇを含む。前記止め材２３０Ｇは前記固定部材２３Ｇに一体成型される。前記止め材２３０Ｇに係止溝２３００Ｇが形成される。実施例９において、前記ソケットハウジング３６Ｇは、前記止め材２３０Ｇと連通するように、前記固定部材２３Ｇに設置される。つまり、前記ソケットハウジング３６Ｇと前記止め材２３０Ｇは一体成型する。前記電源ハウジング３２Ｇの一端が前記ベース２１Ｇにより覆われる。前記ベース２１Ｇに前記引っかかり部材２４Ｇが設置される。前記電源ハウジング３２Ｇの他端が前記固定部材２３Ｇの一端に接続される。前記ソケットハウジング３６Ｇは、前記固定部材２３Ｇに形成され、前記固定部材２３Ｇの前記止め材２３０Ｇと一体になって前記固定部材２３Ｇの表面に形成される。また、前記電源３１Ｇは前記電源ハウジング３２Ｇの内部に設置される。前記ソケット３３Ｇは前記ソケットハウジング３６Ｇの内部に設置される。無論、前記ソケットハウジング３６Ｇは、前記プラグ３４Ｇと前記ソケットハウジング３６Ｇを互いに接続させるように、前記プラグ３４Ｇの挿入を許可する。さらに、前記拡張部品１５Ｇは前記電源ハウジング３２Ｇの内部に設置される。無論、前記電源ハウジング３２Ｇが前記固定部材２３Ｇに接続されるため、前記拡張部品１５Ｇも前記固定部材２３Ｇの内部に設置される。前記固定部材２３Ｇの他端は前記頂蓋２２Ｇに接続される。好ましくは、前記拡張部品１５Ｇの機能要求に応じて、前記頂蓋２２Ｇの材質を変更してもよい。
【００９６】
実施例９において、前記固定部材２３Ｇは下へ前記電源ハウジング３２Ｇに延伸し、前記電源ハウジング３２Ｇと前記固定部材２３Ｇは接続される２つの筒形ハウジングとなる。無論、前記電源ハウジング３２Ｇと前記固定部材２３Ｇは一体成型した筒形の構成であってもよい。実施例９において、前記電源ハウジング３２Ｇと前記固定部材２３Ｇは階段状となって互いに接続される。このようにして、前記ハウジング部品１１Ｇの前記固定部１１０Ｇの前記固定筒１１２Ｇが前記固定部材２３Ｇに取り付けられる時、前記電源ハウジング３２Ｇはある程度の阻止作用を果たし、前記ハウジング部品１１Ｇと前記固定部材２３Ｇの位置マッチングは容易になる。他の実施例において、前記電源ハウジング３２Ｇの外径は前記固定部材２３Ｇの外径は一致してもよい。つまり、前記電源ハウジング３２Ｇの形状と前記固定部材２３Ｇの形状は本発明機能の実現に影響を与えない。
【００９７】
図３４に示すように、前記引っかかり装置２０Ｇの前記固定部材２３Ｇはさらに少なくとも１つの止め材２３０Ｇを含む。前記止め材２３０Ｇは前記固定部材２３Ｇに一体成型される。前記止め材２３０Ｇに係止溝２３００Ｇが形成される。実施例９において、前記ソケットハウジング３６Ｇは、前記止め材２３０Ｇと連通するように、前記固定部材２３Ｇに設置される。つまり、前記ソケットハウジング３６Ｇと前記止め材２３０Ｇは一体成型する。図１６から見れば、前記電源ハウジング３２Ｇの一端が前記ベース２１Ｇにより覆われる。前記ベース２１Ｇに前記引っかかり部材２４Ｇが設置される。前記電源ハウジング３２Ｇの他端が前記固定部材２３Ｇの一端に接続される。前記ソケットハウジング３６Ｇは、前記固定部材２３Ｇに形成され、前記固定部材２３Ｇの前記止め材２３０Ｇと一体になって前記固定部材２３Ｇの表面に形成される。また、前記電源３１Ｇは前記電源ハウジング３２Ｇの内部に設置される。前記ソケット３３Ｇは前記ソケットハウジング３６Ｇの内部に設置される。無論、前記ソケットハウジング３６Ｇは、前記プラグ３４Ｇと前記ソケットハウジング３６Ｇを互いに接続させるように、前記プラグ３４Ｇの挿入を許可する。さらに、前記拡張部品１５Ｇは前記電源ハウジング３２Ｇの内部に設置される。無論、前記電源ハウジング３２Ｇが前記固定部材２３Ｇに接続されるため、前記拡張部品１５Ｇも前記固定部材２３Ｇの内部に設置される。前記固定部材２３Ｇの他端は前記頂蓋２２Ｇに接続される。
【００９８】
前記固定部材２３Ｇはさらに少なくとも１つのスライダ２３１Ｇを含む。前記スライダ２３１Ｇは下へ前記固定部材２３Ｇまでに延伸する。前記固定筒１１２Ｇは少なくとも１つのスライダ槽１１２２Ｇを有する。前記スライダ槽１１２２Ｇは前記スライダ２３１Ｇに対応して設置され、前記スライダ２３１Ｇが前記スライダ槽１１２２Ｇに入る時に音を出すようになる。つまり、前記固定部材２３Ｇの前記止め材２３０Ｇと前記固定筒１１２Ｇの前記固定ブロック１１２０Ｇが固定する時、前記スライダ２３１Ｇは前記スライダ槽１１２２Ｇに入る時、音を出す。前記固定ブロック１１２０Ｇを回転すぎることによる前記止め材２３０Ｇの損壊を防止する。
【００９９】
実施例９において、本発明はさらに拡張部品１５Ｇを含む。前記拡張部品１５Ｇは前記引っかかり装置２０Ｇに設置される。好ましくは、前記拡張部品１５Ｇは、前記ハウジング部品１０Ｇを取り付けていない時、一定の発光効果を有するために、小灯組となる。前記拡張部品１５Ｇはさらに制御板１５１Ｇおよび小灯板１５２Ｇを含む。前記制御板１５１Ｇおよび前記小灯板１５２Ｇは前記電源ハウジング３２Ｇ内に固定される。前記制御板１５１Ｇは前記小灯板１５２Ｇと前記電源３１Ｇに電気的に接続される。取付または停電のときの使用に有利である。また、前記引っかかり装置２０Ｇの前記頂蓋２２Ｇは、前記拡張部品１５Ｇが前記頂蓋２２Ｇを透過して発光するように透明材となる。好ましくは、前記拡張部品１５Ｇの機能要求に応じて、前記頂蓋２２Ｇの材質を変更してもよい。例えば、前記拡張部品１５Ｇは灯組であり、前記頂蓋２２Ｇは透光の材質である。例えば、前記拡張部品１５Ｇはフルオキシブジェネレータまたは負イオンジェネレータであり、前記頂蓋２２Ｇは通気の材質である。
【０１００】
実施例９において、前記止め材２３０Ｇは２つあり、対称して前記固定部材２３Ｇに形成される。これに対応する前記固定筒１１２Ｇの前記固定ブロック１１２０Ｇは回転により前記止め材２３０Ｇの前記係止溝２３００Ｇに入る。好ましくは、前記止め材２３０Ｇと前記ソケットハウジング３６Ｇは一体形成され、前記固定部材２３Ｇに突出する。図３４の底面図および図３５の平面図に示すように、前記ソケットハウジング３６Ｇは前記ソケット３３Ｇを収納して前記ソケット３３Ｇを保護する。前記ロック材２６１Ｇと前記ロックロッド２６３Ｇは互いにマッチングする。実施例９において、前記電源ハウジング３２Ｇと前記固定部材２３Ｇはいずれも円柱の筒形であり、前記ハウジング部品１０Ｇの前記固定筒１１２Ｇが前記電源ハウジング３２Ｇと前記固定部材２３Ｇ外部をカバーするようになり、さらに前記ハウジング部品１０Ｇを前記引っかかり装置２０Ｇに固定させ、前記プラグ３４Ｇを前記ソケット３３Ｇに挿入させ、回路を形成する。無論、前記電源ハウジング３２Ｇの形状および前記固定部材２３Ｇの形状は円形に限られなく、他の実施例において、前記電源ハウジング３２Ｇと前記固定部材２３Ｇは楕円、四角形等であってもよい。
【０１０１】
前記ハウジング部品１０Ｇの前記固定筒１１２Ｇは前記電源ハウジング３２Ｇの形状と前記固定部材２３Ｇの形状に対応する。図３５に示すように、前記ハウジング部品１０Ｇの前記ハウジングベース１１Ｇの前記固定部１１０Ｇは前記固定板１１１Ｇおよび前記固定筒１１２Ｇにより形成される。前記固定筒１１２Ｇは下へ延伸して前記固定板１１１Ｇに達する。好ましくは、前記固定板１１１Ｇには孔があり、前記固定筒１１２Ｇの一端と前記固定板１１１Ｇを連通させる。つまり、実施例９において、前記ハウジング部品１０Ｇを取り付ける時、前記固定筒１１２Ｇの一端が挿入され、つまり、前記固定筒１１２Ｇが接続される前記固定板１１１Ｇの一端から挿入される。前記固定筒１１２Ｇにおける前記固定ブロック１１２０Ｇは前記引っかかり装置２０Ｇの前記固定部材２３Ｇに互いに固定させる。前記固定筒１１２Ｇにおいて、前記固定ブロック１１２０Ｇはプラグ槽１１２１Ｇを有する。前記プラグ槽１１２１Ｇは前記プラグ３４Ｇを収納する。つまり、前記プラグ３４Ｇは前記固定ブロック１１２０Ｇの前記プラグ槽１１２１Ｇに固定される。このようにして、前記ハウジング部品１０Ｇが前記引っかかり装置２０Ｇに取り付けられる時、前記プラグ３４Ｇは前記ソケット３３Ｇに挿入され、前記発光回路ユニット３０Ｇが回路の全体を形成させる。
【０１０２】
好ましくは、前記固定ブロック１１２０Ｇは取り付けられる時、前記固定部材２３Ｇの前記止め材２３０Ｇにマッチングして固定する。実施例９において、前記固定ブロック１１２０Ｇは前記固定筒１１２Ｇの回転に従って前記止め材２３０Ｇに係止される。図３５に示すように、前記固定ブロック１１２０Ｇと前記固定部材２３Ｇの前記止め材２３０Ｇが固定する時、前記プラグ３４Ｇもそれに従って前記ソケット３３Ｇに挿入される。取り付ける時、前記ハウジング部品１０Ｇの前記固定筒１１２Ｇが前記引っかかり装置２０Ｇへ推され、回転により前記固定ブロック１１２０Ｇが前記固定部材２３Ｇの前記止め材２３０Ｇに係止され、前記ハウジング部品１０Ｇの前記固定筒１１２Ｇを前記引っかかり装置２０Ｇの前記固定部材２３Ｇに固定させ、前記固定筒１１２Ｇに位置する前記プラグ３４Ｇも前記ソケット３３Ｇに挿入される。前記ハウジング部品１０Ｇが前記固定部材２３Ｇに取り付けられる前、前記プラグ３４Ｇと前記ソケット３３Ｇは分けられるものであり、つまり、前記発光部回路素子３０１Ｇおよび前記予め設定した回路素子３０２Ｇは回路を形成しない。前記ハウジング部品１０Ｇが前記引っかかり装置２０Ｇの前記固定部材２３Ｇに固定された後、前記プラグ３４Ｇおよび前記ソケット３３Ｇは接続されて前記発光部回路素子３０１Ｇと前記予め設定した回路素子３０２Ｇを連通させる。実施例９において、好ましくは、前記ハウジング部品１０Ｇは前記引っかかり装置２０Ｇへ取り付けられると、前記ハウジング部品１０Ｇが前記引っかかり装置２０Ｇの前記固定部材２３Ｇにより固定され、前記発光回路ユニット３０Ｇも接続される。
【０１０３】
実施例９において、前記分体式天井灯及びその引っかかり装置の取付シーンは図３６に示す。前記引っかかり装置２０Ｇは前記予め設定した位置に予め固定される。前記引っかかり装置２０Ｇの前記引っかかり部材２４Ｇは標準引っかかり件である。前記引っかかり装置２０Ｇは前記引っかかり部材２４Ｇにより前記予め設定した位置に固定される。実施例９において、前記予め設定した位置は室内天井の一箇所である。無論、異なる要求に応じて、前記引っかかり装置２０Ｇは、異なる位置、例えば、側面の壁体、木板、装飾板、地面、照明板等に固定されてもよい。前記ハウジング部品１０Ｇは前記引っかかり装置２０Ｇへの押しと回転により、前記ハウジング部品１０Ｇの前記固定筒１１２Ｇが前記引っかかり装置２０Ｇの外をカバーするようになる。回転と係止により、前記ハウジング部品１０Ｇの前記固定筒１１２Ｇは前記引っかかり装置２０Ｇの前記固定部材２３Ｇに固定される。同時に、前記プラグ３４Ｇは前記ソケット３３Ｇに挿入される。最後に、前記ロックキャップ２６４Ｇを前記引っかかり装置２０Ｇの前記頂蓋２２Ｇに取り付けられ、好ましくは、前記ロックキャップ２６４Ｇをネジ山で前記頂蓋２２Ｇに互いにロックさせる。このようにして、前記ハウジング部品１０Ｇは前記予め設定した位置に安定に取り付けられる。つまり、一回の押しと回転により、前記ハウジング部品１０Ｇは前記予め設定した位置に固定され、前記発光回路ユニット３０Ｇも完全に接続される。また、前記引っかかり装置２０Ｇの前記固定部材２３Ｇと前記ハウジング部品１０Ｇの前記固定部１１０Ｇの接続固定、および前記ロック部品２６Ｇのロックと揺れ防止により、前記ハウジング部品１０Ｇは安定に取り付けられる。このような取付は簡単、安全であり、複雑な技術を要求しない。前記分体式天井灯の取付、メンテナンス、および置換に有利である。
本発明の実施例１０は図３７〜図４３に示す。実施例１０に係る前記分体式天井灯及びその引っかかり装置は、ハウジング部品１０Ｈ、引っかかり装置２０Ｈ及び発光回路ユニット３０Ｈを含む。好ましくは、前記引っかかり装置２０Ｈは壁面に予め設置される。前記ハウジング部品１０Ｈは前記引っかかり装置に着脱可能に接続される。具体的には、図３７に示すように、前記発光回路ユニット３０Ｈはさらに灯体回路素子３０１Ｈおよび予め設定した回路素子３０２Ｈを含む。前記予め設定した回路素子３０２Ｈはさらに電源３１Ｈ、電源ハウジング３２Ｈ、ソケット３３Ｈ、及びソケットハウジング３６Ｈを含む。前記電源ハウジング３２Ｈは前記電源３１Ｈを保護して支持する。前記ソケット３３Ｈは前記電源３１Ｈに接続されてエネルギーを出力する。前記ソケットハウジング３６Ｈは前記ソケット３３Ｈを保護する。前記発光部回路素子３０１Ｈはさらに発光部３５Ｈおよびプラグ３４Ｈを含む。前記発光部３５Ｈは、回路を形成する時、前記電源３１Ｈにより発光するように、前記プラグ３４Ｈに接続される。前記プラグ３４Ｈは前記ソケット３３Ｈに離間可能に接続され、回路の全体を形成する。
【０１０４】
前記ハウジング部品１０Ｈはさらにハウジングベース１１Ｈおよび灯カバー１２Ｈを含む。前記発光部３５Ｈと前記プラグ３４Ｈは前記ハウジングベース１１Ｈと前記灯カバー１２Ｈとの間に固定される。さらに、前記ハウジング部品１１Ｈはさらに固定部１１０Ｈを含む。前記固定部１１０Ｈはさらに固定板１１１Ｈおよび固定筒１１２Ｈを含む。前記固定板１１１Ｈは、前記発光部３５Ｈを前記固定板１１１Ｈと前記灯カバー１２Ｈとの間に収納されるために、前記灯カバー１２Ｈに着脱可能に接続される。前記固定筒１１２Ｈは下へ前記固定板１１１Ｈに延伸し、前記固定筒１１２Ｈの一端を前記固定板１１１Ｈに接続させ、前記固定筒１１２Ｈは、前記引っかかり装置２０Ｈが前記固定筒１１２Ｈ内部に挿入するように、前記ハウジングベース１１Ｈと前記灯カバー１２Ｈとの間にチャンバを形成する。前記固定筒１１２Ｈはさらに少なくとも１つの固定ブロック１１２０Ｈを含む。前記固定ブロック１１２０Ｈは前記固定筒１１２Ｈ内壁から延伸して突出する。実施例１０において、前記固定ブロック１１２０Ｈは２つあり、対称して前記固定筒１１２Ｈの内側に設置される。このようにして、好ましくは、前記ハウジング部品１０Ｈは前記引っかかり装置２０Ｈへ直接推されると、前記ハウジング部品１０Ｈの前記固定筒１１２Ｈが前記引っかかり装置２０Ｈにより固定され、前記発光回路ユニット３０Ｈも接続される。
【０１０５】
図３８および図３９に示すように、実施例１０において、前記引っかかり装置２０Ｈはさらにベース２１Ｈ、頂蓋２２Ｈ、固定部材２３Ｈ、引っかかり部材２４Ｈ及びロック部品２６Ｈを含む。前記固定部材２３Ｈは前記頂蓋２２Ｈと前記ベース２１Ｈとの間に設置される。前記ロック部品２６Ｈは前記固定部材２３Ｈと前記ハウジング部品１０Ｈの前記固定部１１０Ｈとの間に設置され、前記固定部材２３Ｈと前記固定部１１０Ｈをロックし、それらの移動による前記ハウジング部品１０Ｈの落ちを防止する。前記引っかかり部材２４Ｈは前記ベース２１Ｈに設置される。好ましくは、前記引っかかり部材２４Ｈは、前記引っかかり装置２０Ｈが予め設定した位置に予め固定されるために、標準材となる。実施例１０において、前記引っかかり装置２０Ｈはさらに拡張部品１５Ｈを含む。前記拡張部品１５Ｈは前記引っかかり装置２０Ｈに設置される。好ましくは、前記拡張部品１５Ｈは、前記ハウジング部品１０Ｈを取り付けていない時、一定の発光効果を有するために、小灯組となる。前記拡張部品１５Ｈはさらに制御板１５１Ｈおよび小灯板１５２Ｈを含む。前記制御板１５１Ｈおよび前記小灯板１５２Ｈは前記電源ハウジング３２Ｈ内に固定される。前記制御板１５１Ｈは前記小灯板１５２Ｈと前記電源３１Ｈに電気的に接続される。取付または停電のときの使用に有利である。また、前記引っかかり装置２０Ｈの前記頂蓋２２Ｈは、前記拡張部品１５Ｈが前記頂蓋２２Ｈを透過して発光するように透明材となる。
実施例１０において、前記固定部材２３Ｈは一体になって下へ前記電源ハウジング３２Ｈに延伸し、前記電源ハウジング３２Ｈと前記固定部材２３Ｈは一体成型した筒形となる。実施例１０において、前記電源ハウジング３２Ｈと前記固定部材２３Ｈは階段状となって互いに接続される。このようにして、前記ハウジング部品１１Ｈの前記固定部１１０Ｈの前記固定筒１１２Ｈが前記固定部材２３Ｈに取り付けられる時、前記電源ハウジング３２Ｈはある程度の阻止作用を果たし、前記ハウジング部品１１Ｈと前記固定部材２３Ｈの位置マッチングは容易になる。他の実施例において、前記電源ハウジング３２Ｈの外径は前記固定部材２３Ｈの外径は一致してもよい。つまり、前記電源ハウジング３２Ｈの形状と前記固定部材２３Ｈの形状は本発明機能の実現に影響を与えない。
【０１０６】
図３９に示すように、前記引っかかり装置２０Ｈの前記固定部材２３Ｈはさらに少なくとも１つの止め材２３０Ｈを含む。前記止め材２３０Ｈは前記固定部材２３Ｈに一体成型される。前記止め材２３０Ｈに係止溝２３００Ｈが形成される。実施例１０において、前記ソケットハウジング３６Ｈは、前記止め材２３０Ｈと連通するように、前記固定部材２３Ｈに設置される。つまり、前記ソケットハウジング３６Ｈと前記止め材２３０Ｈは一体成型する。前記止め材２３０Ｈと前記ソケットハウジング３６Ｈは前記固定部材２３Ｈの表面に一体成型し、逆Ｆ形となることが好ましい。
【０１０７】
前記電源ハウジング３２Ｈの一端が前記ベース２１Ｈにより覆われる。前記ベース２１Ｈに前記引っかかり部材２４Ｈが設置される。前記電源ハウジング３２Ｈの他端が前記固定部材２３Ｈの一端に接続される。前記ソケットハウジング３６Ｈは、前記固定部材２３Ｈに形成され、前記固定部材２３Ｈの前記止め材２３０Ｈと一体になって前記固定部材２３Ｈの表面に形成される。また、前記電源３１Ｈは前記電源ハウジング３２Ｈの内部に設置される。前記ソケット３３Ｈは前記ソケットハウジング３６Ｈの内部に設置される。無論、前記ソケットハウジング３６Ｈは、前記プラグ３４Ｈと前記ソケットハウジング３６Ｈを互いに接続させるように、前記プラグ３４Ｈの挿入を許可する。さらに、前記拡張部品１５Ｈは前記電源ハウジング３２Ｈの内部に設置される。無論、前記電源ハウジング３２Ｈが前記固定部材２３Ｈに接続されるため、前記拡張部品１５Ｈも前記固定部材２３Ｈの内部に設置される。前記固定部材２３Ｈの他端は前記頂蓋２２Ｈに接続される。好ましくは、前記拡張部品１５Ｈの機能要求に応じて、前記頂蓋２２Ｈの材質を変更してもよい。例えば、前記拡張部品１５Ｈはフルオキシブジェネレータまたは負イオンジェネレータであり、前記頂蓋２２Ｈは通気の材質である。
【０１０８】
図４０は前記ハウジング部品１０Ｈの前記固定筒１１２Ｈの断面図である。前記ハウジングベース１１Ｈと前記灯カバー１２Ｈとの間において、順に前記固定筒１１２Ｈ、前記発光部３５Ｈ、及び前記ロック部品２６Ｈが設置される。前記発光部３５Ｈに接続される前記プラグ３４Ｈは前記固定筒１１２Ｈに固定される。好ましくは、前記ハウジングベース１１Ｈと前記固定部１１０Ｈも一体成型するものである。また、前記ロック部品２６Ｈは前記固定筒１１２Ｈと前記固定部材２３Ｈをロックする。前記ロック部品２６Ｈはさらに、前記固定部材２３Ｈの一端に設置されるロック材２６１Ｈと、前記固定筒１１２Ｈの内側に設置されるロックロッド２６３Ｈと、前記ロックロッド２６３Ｈと前記引っかかり装置２０Ｈをロックするロックキャップ２６４Ｈと、を含む。前記ロックキャップ２６４Ｈの内側に突起２６４０Ｈがあり、前記頂蓋２２Ｈの外表面に対応する前記突起２６４０Ｈがあり、前記ロックキャップ２６４Ｈと前記頂蓋２２Ｈを互いにロックさせ、これによって、前記引っかかり装置２０Ｈをロックする。
【０１０９】
図４２に示すように、具体的には、前記ハウジング部品１０Ｈが前記固定部材２３Ｈに取り付けられる前、前記プラグ３４Ｈと前記ソケット３３Ｈは分けられるものであり、つまり、前記発光部回路素子３０１Ｈおよび前記予め設定した回路素子３０２Ｈは回路を形成しない。前記ハウジング部品１０Ｈが前記引っかかり装置２０Ｈの前記固定部材２３Ｈに固定された後、前記プラグ３４Ｈおよび前記ソケット３３Ｈは接続されて前記発光部回路素子３０１Ｈと前記予め設定した回路素子３０２Ｈを連通させる。
【０１１０】
実施例１０において、図４２に示すように、前記電源ハウジング３２Ｈと前記固定部材２３Ｈは階段状となって接続される。前記電源ハウジング３２Ｈは前記固定部材２３Ｈより大きい。前記固定部材２３Ｈと前記電源ハウジング３２Ｈとの間の接続箇所は前記ロック材２６１Ｈとなる。好ましくは、前記ロック材２６１Ｈは前記ロックロッド２６３Ｈにマッチングする孔を有する。実施例１０において、前記ロック材２６１Ｈは前記ロックロッド２６３Ｈに係止される。他の実施例において、前記固定部材２３Ｈ、前記ロック材２６１Ｈ及び前記電源ハウジング３２Ｈは一体成型する。つまり、ダイにより前記固定部材２３Ｈ、前記ロック材２６１Ｈ及び前記電源ハウジング３２Ｈは一体成型する。また、前記係止溝２３００Ｈと前記ハウジング部品１０Ｈにおける前記固定部１１０Ｈの前記固定筒１１２Ｈとはマッチングし、前記固定筒１１２Ｈの前記固定ブロック１１２０Ｈを前記係止溝２３００Ｈに取り付けて固定させる。前記固定ブロック１１２０Ｈが前記係止溝２３００Ｈから離間することにより、前記ハウジング部品１０Ｈを前記引っかかり装置２０Ｈから離間させることを防止するために、前記ロック部品２６Ｈは前記固定筒１１２Ｈと前記固定部材２３Ｈを互いにロックさせる。実施例１０において、前記止め材２３０Ｈが形成される前記係止溝２３００Ｈは前記ソケットハウジング３６Ｈと前記ロック材２６１Ｈとの間に位置する。このようにして、前記係止溝２３００Ｈが前記固定筒１１２Ｈの前記固定ブロック１１２０Ｈに係止される時、前記ロック材２６１Ｈも前記ロックロッド２６３Ｈをロックする。前記固定部材２３Ｈはさらに少なくとも１つのスライダ２３１Ｈを含む。前記スライダ２３１Ｈは下へ前記固定部材２３Ｈまでに延伸する。前記固定筒１１２Ｈは少なくとも１つのスライダ槽１１２２Ｈを有する。前記スライダ槽１１２２Ｈは前記スライダ２３１Ｈに対応して設置され、前記スライダ２３１Ｈが前記スライダ槽１１２２Ｈに入る時に音を出すようになる。つまり、前記固定部材２３Ｈの前記止め材２３０Ｈと前記固定筒１１２Ｈの前記固定ブロック１１２０Ｈが固定する時、前記スライダ２３１Ｈは前記スライダ槽１１２２Ｈに入る時、音を出す。前記固定ブロック１１２０Ｈを回転すぎることによる前記止め材２３０Ｈの損壊を防止する。
【０１１１】
実施例１０において、前記止め材２３０Ｈは２つあり、対称して前記固定部材２３Ｈに形成される。これに対応する前記固定筒１１２Ｈの前記固定ブロック１１２０Ｈは回転により前記止め材２３０Ｈの前記係止溝２３００Ｈに入る。好ましくは、前記止め材２３０Ｈと前記ソケットハウジング３６Ｈは一体形成され、前記固定部材２３Ｈに突出する。図４０および図４１に示すように、前記ソケットハウジング３６Ｈは前記ソケット３３Ｈを収納して前記ソケット３３Ｈを保護する。また、図４２に示すように、前記ロック材２６１Ｈはバネ２６３０Ｈに接続され、前記ロック材２６１Ｈを上へ弾き上げ、前記ロック材２６１Ｈは前記ロックロッド２６３Ｈに係止される。実施例１０において、前記電源ハウジング３２Ｈと前記固定部材２３Ｈはいずれも円柱の筒形であり、前記ハウジング部品１０Ｈの前記固定筒１１２Ｈが前記電源ハウジング３２Ｈと前記固定部材２３Ｈ外部をカバーするようになり、さらに前記ハウジング部品１０Ｈを前記引っかかり装置２０Ｈに固定させ、前記プラグ３４Ｈを前記ソケット３３Ｈに挿入させ、回路を形成する。無論、前記電源ハウジング３２Ｈの形状および前記固定部材２３Ｈの形状は円形に限られなく、他の実施例において、前記電源ハウジング３２Ｈと前記固定部材２３Ｈは楕円、四角形等であってもよい。
【０１１２】
前記ハウジング部品１０Ｈの前記固定筒１１２Ｈは前記電源ハウジング３２Ｈの形状と前記固定部材２３Ｈの形状に対応する。つまり、実施例１０において、前記ハウジング部品１０Ｈを取り付ける時、前記固定筒１１２Ｈの一端から挿入させる。前記固定筒１１２Ｈにおける前記固定ブロック１１２０Ｈは前記引っかかり装置２０Ｈの前記固定部材２３Ｈに互いに固定させる。前記固定筒１１２Ｈにおいて、前記固定ブロック１１２０Ｈは前記プラグ３４Ｈを固定し、前記プラグ３４Ｈの一部が前記固定ブロック１１２０Ｈから延出する。このようにして、前記ハウジング部品１０Ｈが前記引っかかり装置２０Ｈに取り付けられる時、前記プラグ３４Ｈは前記ソケット３３Ｈに挿入され、前記発光回路ユニット３０Ｈが回路の全体を形成させる。
【０１１３】
好ましくは、前記固定ブロック１１２０Ｈは取り付けられる時、前記固定部材２３Ｈの前記止め材２３０Ｈにマッチングして固定する。実施例１０において、前記固定ブロック１１２０Ｈは前記固定筒１１２Ｈの回転に従って前記止め材２３０Ｈに係止される。前記固定ブロック１１２０Ｈと前記固定部材２３Ｈの前記止め材２３０Ｈが固定する時、前記プラグ３４Ｈもそれに従って前記ソケット３３Ｈに挿入される。取り付ける時、前記ハウジング部品１０Ｈの前記固定筒１１２Ｈが前記引っかかり装置２０Ｈへ推され、回転により前記固定ブロック１１２０Ｈが前記固定部材２３Ｈの前記止め材２３０Ｈに係止され、前記ハウジング部品１０Ｈの前記固定筒１１２Ｈを前記引っかかり装置２０Ｈの前記固定部材２３Ｈに固定させ、前記固定筒１１２Ｈに位置する前記プラグ３４Ｈも前記ソケット３３Ｈに挿入される。前記ハウジング部品１０Ｈが前記固定部材２３Ｈに取り付けられる前、前記プラグ３４Ｈと前記ソケット３３Ｈは分けられるものであり、つまり、前記発光部回路素子３０１Ｈおよび前記予め設定した回路素子３０２Ｈは回路を形成しない。前記ハウジング部品１０Ｈが前記引っかかり装置２０Ｈの前記固定部材２３Ｈに固定された後、前記プラグ３４Ｈおよび前記ソケット３３Ｈは接続されて前記発光部回路素子３０１Ｈと前記予め設定した回路素子３０２Ｈを連通させる。実施例１０において、好ましくは、前記ハウジング部品１０Ｈは前記引っかかり装置２０Ｈへ取り付けられると、前記ハウジング部品１０Ｈが前記引っかかり装置２０Ｈの前記固定部材２３Ｈにより固定され、前記発光回路ユニット３０Ｈも接続される。前記固定筒１１２Ｈの内側にさらに前記ロックロッド２６３Ｈを含む。好ましくは、前記ロックロッド２６３Ｈは前記固定ブロック１１２０Ｈの一側に設置される。また、前記ロックロッド２６３Ｈの位置は前記ロック材２６１Ｈに対応する。前記ハウジング部品１０Ｈが前記引っかかり装置２０Ｈの前記固定部材２３Ｈに固定された後、前記プラグ３４Ｈと前記ソケット３３Ｈが接続され、前記ロックロッド２６３Ｈと前記ロック材２６１Ｈとは互いにロックされる。好ましくは、前記ロックロッド２６３Ｈには、前記ロックロッド２６３Ｈを上下においてはね返すように、ロックバネ２６３０Ｈが設置される。つまり、前記プラグ３４Ｈと前記ソケット３３Ｈがまだ接続されていない時、前記ロックロッド２６３Ｈが前記ロック材２６１Ｈに互いにロックしなく、この時、前記固定ブロック１１２０Ｈと前記止め材２３０Ｈは完全にマッチングしない。前記固定ブロック１１２０Ｈと前記止め材２３０Ｈは完全にマッチングして固定する時、前記プラグ３４Ｈと前記ソケット３３Ｈも互いに接続され、前記ロックロッド２６３Ｈと前記ロック材２６１Ｈとは互いにロックし、前記固定ブロック１１２０Ｈの前記止め材２３０Ｈからの退出を防止する。実施例１０において、前記ロック材２６１Ｈの前記孔は前記ロックロッド２６３Ｈに挿入され、前記固定ブロック１１２０Ｈと前記止め材２３０Ｈの前記係止溝２３００Ｈの移動を防止し、前記ハウジング部品１０Ｈと前記引っかかり装置２０Ｈの緩みを防止する。
【０１１４】
前記固定筒１１２Ｈと前記固定部材２３Ｈの取付は図４２に示す。実施例１０において、前記止め材２３０Ｈは２つあり、対称して前記固定部材２３Ｈに形成される。これに対応する前記固定筒１１２Ｈの前記固定ブロック１１２０Ｈは回転により前記止め材２３０Ｈの前記係止溝２３００Ｈに入る。好ましくは、前記止め材２３０Ｈと前記ソケットハウジング３６Ｈは一体形成され、前記固定部材２３Ｈに突出する。前記ソケットハウジング３６Ｈは前記ソケット３３Ｈを収納して前記ソケット３３Ｈを保護する。前記ロック材２６１Ｈと前記ロックロッド２６３Ｈは互いにマッチングする。実施例１０において、前記電源ハウジング３２Ｈと前記固定部材２３Ｈはいずれも円柱の筒形であり、前記ハウジング部品１０Ｈの前記固定筒１１２Ｈが前記電源ハウジング３２Ｈと前記固定部材２３Ｈ外部をカバーするようになり、さらに前記ハウジング部品１０Ｈを前記引っかかり装置２０Ｈに固定させ、前記プラグ３４Ｈを前記ソケット３３Ｈに挿入させ、回路を形成する。つまり、実施例１０において、前記ハウジング部品１０Ｈを取り付ける時、前記固定筒１１２Ｈの一端が挿入され、つまり、前記固定筒１１２Ｈが接続される前記固定板１１１Ｈの一端から挿入される。前記固定筒１１２Ｈにおける前記固定ブロック１１２０Ｈは前記引っかかり装置２０Ｈの前記固定部材２３Ｈに互いに固定させる。前記ハウジング部品１０Ｈが前記引っかかり装置２０Ｈに取り付けられる時、前記プラグ３４Ｈは前記ソケット３３Ｈに挿入され、前記発光回路ユニット３０Ｈが回路の全体を形成させる。
【０１１５】
好ましくは、前記固定ブロック１１２０Ｈは取り付けられる時、前記固定部材２３Ｈの前記止め材２３０Ｈにマッチングして固定する。実施例１０において、前記固定ブロック１１２０Ｈは前記固定筒１１２Ｈの回転に従って前記止め材２３０Ｈに係止される。前記固定ブロック１１２０Ｈと前記固定部材２３Ｈの前記止め材２３０Ｈが固定する時、前記プラグ３４Ｈもそれに従って前記ソケット３３Ｈに挿入される。取り付ける時、前記ハウジング部品１０Ｈの前記固定筒１１２Ｈが前記引っかかり装置２０Ｈへ推され、回転により前記固定ブロック１１２０Ｈが前記固定部材２３Ｈの前記止め材２３０Ｈに係止され、前記ハウジング部品１０Ｈの前記固定筒１１２Ｈを前記引っかかり装置２０Ｈの前記固定部材２３Ｈに固定させ、前記固定筒１１２Ｈに位置する前記プラグ３４Ｈも前記ソケット３３Ｈに挿入される。前記ハウジング部品１０Ｈが前記固定部材２３Ｈに取り付けられる前、前記プラグ３４Ｈと前記ソケット３３Ｈは分けられるものであり、つまり、前記発光部回路素子３０１Ｈおよび前記予め設定した回路素子３０２Ｈは回路を形成しない。前記ハウジング部品１０Ｈが前記引っかかり装置２０Ｈの前記固定部材２３Ｈに固定された後、前記プラグ３４Ｈおよび前記ソケット３３Ｈは接続されて前記発光部回路素子３０１Ｈと前記予め設定した回路素子３０２Ｈを連通させる。実施例１０において、好ましくは、前記ハウジング部品１０Ｈは前記引っかかり装置２０Ｈへ取り付けられると、前記ハウジング部品１０Ｈが前記引っかかり装置２０Ｈの前記固定部材２３Ｈにより固定され、前記発光回路ユニット３０Ｈも接続される。
【０１１６】
前記ハウジング部品１０Ｈが前記引っかかり装置２０Ｈの前記固定部材２３Ｈに固定された後、前記プラグ３４Ｈと前記ソケット３３Ｈが接続され、前記ロックロッド２６３Ｈと前記ロック材２６１Ｈとは互いにロックされる。つまり、前記プラグ３４Ｈと前記ソケット３３Ｈがまだ接続されていない時、前記ロックロッド２６３Ｈが前記ロック材２６１Ｈに互いにロックしなく、この時、前記固定ブロック１１２０Ｈと前記止め材２３０Ｈは完全にマッチングしない。前記固定ブロック１１２０Ｈと前記止め材２３０Ｈは完全にマッチングして固定する時、前記プラグ３４Ｈと前記ソケット３３Ｈも互いに接続され、前記ロックロッド２６３Ｈと前記ロック材２６１Ｈとは互いにロックし、前記固定ブロック１１２０Ｈの前記止め材２３０Ｈからの退出を防止する。実施例１０において、前記ロック材２６１Ｈの前記孔は前記ロックロッド２６３Ｈに挿入され、前記固定ブロック１１２０Ｈと前記止め材２３０Ｈの前記係止溝２３００Ｈの移動を防止し、前記ハウジング部品１０Ｈと前記引っかかり装置２０Ｈの緩みを防止する。
【０１１７】
前記固定筒１１２Ｈが前記固定部材２３Ｈに固定された後、前記ロックキャップ２６４Ｈはさらに前記引っかかり装置２０の前記頂蓋２２Ｈに取り付けられ、前記ロックロッド２６３Ｈを固定する。好ましくは、前記ロックキャップ２６４Ｈは環状ヒサシ形状である。前記ロックキャップ２６４Ｈは前記ロックロッド２６３Ｈを固定するだけでなく、前記ハウジング部品１０Ｈと前記引っかかり装置２０Ｈが揺れることを阻止する。図３０に示すように、前記ハウジング部品１０Ｈの前記固定筒１１２Ｈが前記引っかかり装置２０Ｈの前記固定部材２３Ｈの前記止め材２３０Ｈに固定されると、前記ロックロッド２６３Ｈは前記ロック材２６１Ｈにロックされる。前記ロックキャップ２６４Ｈは前記引っかかり装置２０Ｈの前記頂蓋２２Ｈに取り付けられ、前記ハウジング部品１０Ｈの前記灯カバー１２Ｈの堕落防止を補助する。
【０１１８】
実施例１０において、前記分体式天井灯及びその引っかかり装置の取付シーンは図４３に示す。前記引っかかり装置２０Ｈは前記予め設定した位置に予め固定される。前記引っかかり装置２０Ｈの前記引っかかり部材２４Ｈは標準引っかかり件である。前記引っかかり装置２０Ｈは前記引っかかり部材２４Ｈにより前記予め設定した位置に固定される。実施例１０において、前記予め設定した位置は室内天井の一箇所である。無論、異なる要求に応じて、前記引っかかり装置２０Ｈは、異なる位置、例えば、側面の壁体、木板、装飾板、地面、照明板等に固定されてもよい。前記ハウジング部品１０Ｈは前記引っかかり装置２０Ｈへの押しと回転により、前記ハウジング部品１０Ｈの前記固定筒１１２Ｈが前記引っかかり装置２０Ｈの外をカバーするようになる。回転と係止により、前記ハウジング部品１０Ｈの前記固定筒１１２Ｈは前記引っかかり装置２０Ｈの前記固定部材２３Ｈに固定される。同時に、前記プラグ３４Ｈは前記ソケット３３Ｈに挿入される。前記スライダ２３１Ｈはちょうど前記スライダ槽１１２２Ｈに入り、音を出す。最後に、前記ロックキャップ２６４Ｈを前記引っかかり装置２０Ｈの前記頂蓋２２Ｈに取り付けられ、好ましくは、前記ロックキャップ２６４Ｈをネジ山で前記頂蓋２２Ｈに互いにロックさせる。このようにして、前記ハウジング部品１０Ｈは前記予め設定した位置に安定に取り付けられる。つまり、一回の押しと回転により、前記ハウジング部品１０Ｈは前記予め設定した位置に固定され、前記発光回路ユニット３０Ｈも完全に接続される。また、前記引っかかり装置２０Ｈの前記固定部材２３Ｈと前記ハウジング部品１０Ｈの前記固定部１１０Ｈの接続固定、および前記ロック部品２６Ｈのロックと揺れ防止により、前記ハウジング部品１０Ｈは安定に取り付けられる。このような取付は簡単、安全であり、複雑な技術を要求しない。前記分体式天井灯の取付、メンテナンス、および置換に有利である。
【０１１９】
当業者は、上記の記載および図面に示す本発明の実施例はただ例として挙げられるが、本発明を限定するものではないと理解されたい。本発明の目的はすでに完全、効果的に実現される。本発明の機能及び構成原理はすでに実施例に示され、前記原理から脱逸しないかぎり、本発明の実施形態は任意に変更または修正してもよい。
【図１】
2018110119.tif 000003
【図２】
2018110119.tif 000004
【図３】
2018110119.tif 000005
【図４】
2018110119.tif 000006
【図５Ａ】
2018110119.tif 000007
【図５Ｂ】
2018110119.tif 000008
【図６】
2018110119.tif 000009
【図７】
2018110119.tif 000010
【図８Ａ】
2018110119.tif 000011
【図８Ｂ】
2018110119.tif 000012
【図９】
2018110119.tif 000013
【図１０】
2018110119.tif 000014
【図１１】
2018110119.tif 000015
【図１２】
2018110119.tif 000016
【図１３】
2018110119.tif 000017
【図１４】
2018110119.tif 000018
【図１５】
2018110119.tif 000019
【図１６】
2018110119.tif 000020
【図１７】
2018110119.tif 000021
【図１８】
2018110119.tif 000022
【図１９】
2018110119.tif 000023
【図２０】
2018110119.tif 000024
【図２１】
2018110119.tif 000025
【図２２】
2018110119.tif 000026
【図２３】
2018110119.tif 000027
【図２４】
2018110119.tif 000028
【図２５】
2018110119.tif 000029
【図２６】
2018110119.tif 000030
【図２７】
2018110119.tif 000031
【図２８】
2018110119.tif 000032
【図２９】
2018110119.tif 000033
【図３０】
2018110119.tif 000034
【図３１】
2018110119.tif 000035
【図３２】
2018110119.tif 000036
【図３３】
2018110119.tif 000037
【図３４】
2018110119.tif 000038
【図３５】
2018110119.tif 000039
【図３６】
2018110119.tif 000040
【図３７】
2018110119.tif 000041
【図３８】
2018110119.tif 000042
【図３９】
2018110119.tif 000043
【図４０】
2018110119.tif 000044
【図４１】
2018110119.tif 000045
【図４２】
2018110119.tif 000046
【図４３】
2018110119.tif 000047